(57)【要約】【課題】自動追尾機能使用時の動画撮影中において、使い勝手を悪くすることなく低消費電力化を実現することができるようにする。【解決手段】撮像装置は、撮像手段により取得される撮像画像上に第一の領域と当該第一の領域以外の第二の領域を設定する領域設定手段と、撮像手段により取得された撮像画像又は他の画像を基に主要被写体を設定する主要被写体設定手段と、撮像手段により取得された撮像画像上の主要被写体の位置を周期的に検出する被写体追尾手段と、被写体追尾手段の検出結果に応じ、主要被写体が第二の領域内に存在しなかった場合には主要被写体が第一の領域内のみに存在する旨の告知を告知手段が行い、主要被写体が第二の領域内に存在した場合には主要被写体が第一の領域内のみに存在しない旨の告知を告知手段が行う、ように制御する制御手段とを備える。【選択図】図３
2014120948.tif 000002
【特許請求の範囲】
【請求項１】
被写界を撮像し、撮像画像を取得する撮像手段と、
前記撮像手段により取得される撮像画像上に第一の領域と当該第一の領域以外の第二の領域を設定する領域設定手段と、
前記撮像手段により取得された撮像画像又は他の画像を基に主要被写体を設定する主要被写体設定手段と、
前記撮像手段により取得された撮像画像上の前記主要被写体の位置を周期的に検出する被写体追尾手段と、
前記主要被写体が前記第一の領域内のみに存在するか否かを告知する告知手段と、
前記被写体追尾手段の検出結果に応じ、前記主要被写体が前記第二の領域内に存在しなかった場合には前記主要被写体が前記第一の領域内のみに存在する旨の告知を前記告知手段が行い、前記主要被写体が前記第二の領域内に存在した場合には前記主要被写体が前記第一の領域内のみに存在しない旨の告知を前記告知手段が行う、ように制御する制御手段と、
を備えることを特徴とする撮像装置。
【請求項２】
前記第一の領域は、前記撮像手段により取得される撮像画像の中心を含む領域である、
ことを特徴とする請求項１記載の撮像装置。
【請求項３】
さらに、前記撮像手段により取得された撮像画像を表示する表示手段を備え、
前記告知手段は、前記主要被写体が前記第一の領域内のみに存在する旨の告知として前記表示手段を消灯し、前記主要被写体が前記第一の領域内のみに存在しない旨の告知として前記表示手段を点灯する、
ことを特徴とする請求項２記載の撮像装置。
【請求項４】
さらに、動作モードとして少なくとも通常モード又は低消費電力モードを設定する動作モード設定手段を備え、
前記制御手段は、前記動作モード設定手段により前記低消費電力モードが設定された場合に、前記被写体追尾手段の検出結果に応じ、前記主要被写体が前記第二の領域内に存在しなかった場合には前記主要被写体が前記第一の領域内のみに存在する旨の告知を前記告知手段が行い、前記主要被写体が前記第二の領域内に存在した場合には前記主要被写体が前記第一の領域内のみに存在しない旨の告知を前記告知手段が行う、ように制御する、
ことを特徴とする請求項３記載の撮像装置。
【請求項５】
さらに、当該撮像装置の周囲温度を検出する測温手段を備え、
前記動作モード設定手段は、前記測温手段により検出された周囲温度が所定温度よりも低い場合に、動作モードとして前記低消費電力モードを設定する、
ことを特徴とする請求項４記載の撮像装置。
【請求項６】
前記制御手段は、前記被写体追尾手段の検出結果に応じ、前記主要被写体が前記第二の領域内に存在しなかった場合には前記被写体追尾手段に対して前記主要被写体の位置を第一の周期で検出するように指示し、前記主要被写体が前記第二の領域内に存在した場合には前記被写体追尾手段に対して前記主要被写体の位置を前記第一の周期よりも短い第二の周期で検出するように指示し、
前記被写体追尾手段は、前記主要被写体の位置を、前記制御手段の指示に応じた周期で検出する、
ことを特徴とする請求項２乃至５の何れか一項に記載の撮像装置。
【請求項７】
さらに、前記被写体追尾手段により周期的に検出される前記主要被写体の位置に関する情報から前記主要被写体の単位時間当たりの位置変化量を求める速度検出手段を備え、
前記制御手段は、前記速度検出手段により検出された位置変化量が所定量未満である場合には前記被写体追尾手段に対して前記主要被写体の位置を前記第一の周期で検出するように指示し、前記速度検出手段により検出された位置変化量が所定量以上である場合には前記被写体追尾手段に対して前記主要被写体の位置を前記第一の周期よりも短い第二の周期で検出するように指示し、
前記被写体追尾手段は、前記主要被写体の位置を、前記制御手段の指示に応じた周期で検出する、
ことを特徴とする請求項２乃至５の何れか一項に記載の撮像装置。
【請求項８】
さらに、望遠側または広角側へズームする変倍手段を備え、
前記制御手段は、前記変倍手段のズーム状態が望遠側であって且つ前記主要被写体が前記第二の領域内に存在した場合に、前記変倍手段に対して広角側へズームするように指示し、
前記変倍手段は、前記制御手段の指示に応じてズームする、
ことを特徴とする請求項２乃至７の何れか一項に記載の撮像装置。
【請求項９】
前記変倍手段は、光学的変倍によりズームする、
ことを特徴とする請求項８記載の撮像装置。
【請求項１０】
前記変倍手段は、前記撮像手段により取得される撮像画像の切り出し領域の可変による電子的変倍によりズームする、
ことを特徴とする請求項８記載の撮像装置。
【請求項１１】
被写界が撮像されて取得される撮像画像上に第一の領域と当該第一の領域以外の第二の領域を設定し、
被写界を撮像して取得した撮像画像又は他の画像を基に主要被写体を設定し、
被写界を撮像して取得した撮像画像上の前記主要被写体の位置を周期的に検出し、
前記主要被写体の位置検出の結果に応じ、前記主要被写体が前記撮像画像の第二の領域内に存在しなかった場合には前記主要被写体が前記第一の領域内のみに存在する旨の告知を行い、前記主要被写体が前記撮像画像の前記第二の領域内に存在した場合には前記主要被写体が前記第一の領域内のみに存在しない旨の告知を行う、
処理をコンピュータが実行することを特徴とする告知方法。
【請求項１２】
被写界が撮像されて取得される撮像画像上に第一の領域と当該第一の領域以外の第二の領域を設定し、
被写界を撮像して取得した撮像画像又は他の画像を基に主要被写体を設定し、
被写界を撮像して取得した撮像画像上の前記主要被写体の位置を周期的に検出し、
前記主要被写体の位置検出の結果に応じ、前記主要被写体が前記撮像画像の第二の領域内に存在しなかった場合には前記主要被写体が前記第一の領域内のみに存在する旨の告知を行い、前記主要被写体が前記撮像画像の前記第二の領域内に存在した場合には前記主要被写体が前記第一の領域内のみに存在しない旨の告知を行う、
処理をコンピュータに実行させるための告知プログラム。
【請求項１３】
被写界が撮像されて取得される撮像画像上に第一の領域と当該第一の領域以外の第二の領域を設定し、
被写界を撮像して取得した撮像画像又は他の画像を基に主要被写体を設定し、
被写界を撮像して取得した撮像画像上の前記主要被写体の位置を周期的に検出し、
前記主要被写体の位置検出の結果に応じ、前記主要被写体が前記撮像画像の第二の領域内に存在しなかった場合には前記主要被写体が前記第一の領域内のみに存在する旨の告知を行い、前記主要被写体が前記撮像画像の前記第二の領域内に存在した場合には前記主要被写体が前記第一の領域内のみに存在しない旨の告知を行う、
処理をコンピュータに実行させるためのプログラムを記録したコンピュータ読取可能な記録媒体。
【発明の詳細な説明】
【技術分野】
【０００１】
本発明は、動く被写体を自動追尾する機能を備えた撮像装置に関する。
【背景技術】
【０００２】
近年、デジタルカメラ等の撮像装置においては、低消費電力化が望まれている。特に、電力供給に限りがあるバッテリー駆動の携帯型の撮像装置においては、静止画撮影枚数や動画撮影時間を増やす等の目的のために、それが強く望まれている。また、スキー、スノーボード等の低温下での撮影シーンにおいては、バッテリーの低温特性により常温時よりも撮影枚数や撮影時間が少なくなることからも、それが一層強く望まれている。
【０００３】
低消費電力化を図る撮像装置に関しては、次のような装置が知られている。
例えば、撮影モードから通信モードへ設定変更が行われると、表示制限時間の設定を自動的に短縮し、これにより、通信中における表示手段の電力消費を極力抑えるようにしたカメラが知られている（例えば特許文献１参照）。このカメラでは、所定の場合に、表示手段の表示輝度を低減もしくは消灯すること等も行われる。
【０００４】
一方、撮像装置においては、動画撮影中において動く被写体を自動追尾する機能（以下「自動追尾機能」という）を備えたデジタルカメラもある。このようなデジタルカメラでは、その自動追尾機能の使用により、特定の被写体（例えば顔等）に対してピントを合わせ続けることも可能である。これにより、ユーザは、所望の動く被写体に対してピントを合わせ続けながらの動画撮影を容易に行うことができる。
【０００５】
自動追尾機能を備えた撮像装置に関しては、次のような装置が知られている。
例えば、オートフォーカス（ＡＦ）におけるピント合わせの対象範囲であるＡＦエリア（ＡＦ枠）を所望の被写体に自動追尾させるＡＦ枠自動追尾機能を備えたテレビカメラシステムに適用されるセーフエリア警告装置が知られている（例えば特許文献２参照）。この装置では、そのＡＦ枠自動追尾機能を利用して撮影目的の被写体を追尾することで、その被写体がセーフエリアの外側に移動しないようにカメラマンに適切に注意を促すことができる。
【０００６】
また、追跡中の撮影対象が表示部の画面外へ移動した場合に、撮影対象の移動方向を案内するガイドを画面上に表示する撮像装置も知られている（例えば特許文献３参照）。この装置では、フレームアウトした撮影対象を容易にフレーム内に戻すことができる。
【０００７】
また、表示画面から被写体が逸脱したときにこれを検出して、警報動作させ、又はワイド方向にズーム動作させることで被写体を捕捉し直し、又は予測追尾、スキヤン動作を行うことで被写体を捕捉し直すカメラシステムも知られている（例えば特許文献４参照）。このシステムでは、ユーザに過大な負担をかけることなく被写体を見失った際に適正な処置をなし得る。
【先行技術文献】
【特許文献】
【０００８】
【特許文献１】特開平１１−３８４９４号公報
【特許文献２】特開２０１０−１５２１３５号公報
【特許文献３】特開２００７−１２９４８０号公報
【特許文献４】特開平７−３０７９５号公報
【発明の概要】
【発明が解決しようとする課題】
【０００９】
撮像装置が備える自動追尾機能は、上述のとおり、ユーザにとってたいへん便利な機能である。しかしながら、自動追尾機能を使用して動画撮影を行う場合は、それを使用しないで動画撮影を行う場合に比べて、自動追尾機能に係る処理の分だけ処理が増える。その結果、自動追尾機能を使用して動画撮影を行う場合は、それを使用しないで動画撮影を行う場合に比べて、消費電力が大きくなることは明らかである。近年では、上述のとおり、撮像装置の低消費電力化が望まれている。そのため、自動追尾機能使用時の動画撮影中における電力消費も極力抑える必要がある。但し、そのために、ユーザの使い勝手が悪くなってはならない。
【００１０】
なお、上述の従来の自動追尾機能を備えた撮像装置は、そのような低消費電力化および使い勝手が十分に考慮されたものではない。
本発明は、上記実情に鑑み、自動追尾機能使用時の動画撮影中において、使い勝手を悪くすることなく低消費電力化を実現することができる、撮像装置、告知方法、告知プログラム、及び記録媒体を提供することを目的とする。
【課題を解決するための手段】
【００１１】
本発明の第１の態様に係る撮像装置は、被写界を撮像し、撮像画像を取得する撮像手段と、前記撮像手段により取得される撮像画像上に第一の領域と当該第一の領域以外の第二の領域を設定する領域設定手段と、前記撮像手段により取得された撮像画像又は他の画像を基に主要被写体を設定する主要被写体設定手段と、前記撮像手段により取得された撮像画像上の前記主要被写体の位置を周期的に検出する被写体追尾手段と、前記主要被写体が前記第一の領域内のみに存在するか否かを告知する告知手段と、前記被写体追尾手段の検出結果に応じ、前記主要被写体が前記第二の領域内に存在しなかった場合には前記主要被写体が前記第一の領域内のみに存在する旨の告知を前記告知手段が行い、前記主要被写体が前記第二の領域内に存在した場合には前記主要被写体が前記第一の領域内のみに存在しない旨の告知を前記告知手段が行う、ように制御する制御手段と、を備えることを特徴とする。
【００１２】
本発明の第２の態様に係る撮像装置は、上記第１の態様において、前記第一の領域は、前記撮像手段により取得される撮像画像の中心を含む領域である、ことを特徴とする。
本発明の第３の態様に係る撮像装置は、上記第２の態様において、さらに、前記撮像手段により取得された撮像画像を表示する表示手段を備え、前記告知手段は、前記主要被写体が前記第一の領域内のみに存在する旨の告知として前記表示手段を消灯し、前記主要被写体が前記第一の領域内のみに存在しない旨の告知として前記表示手段を点灯する、ことを特徴とする。
【００１３】
本発明の第４の態様に係る撮像装置は、上記第３の態様において、さらに、動作モードとして少なくとも通常モード又は低消費電力モードを設定する動作モード設定手段を備え、前記制御手段は、前記動作モード設定手段により前記低消費電力モードが設定された場合に、前記被写体追尾手段の検出結果に応じ、前記主要被写体が前記第二の領域内に存在しなかった場合には前記主要被写体が前記第一の領域内のみに存在する旨の告知を前記告知手段が行い、前記主要被写体が前記第二の領域内に存在した場合には前記主要被写体が前記第一の領域内のみに存在しない旨の告知を前記告知手段が行う、ように制御する、ことを特徴とする。
【００１４】
本発明の第５の態様に係る撮像装置は、上記第４の態様において、さらに、当該撮像装置の周囲温度を検出する測温手段を備え、前記動作モード設定手段は、前記測温手段により検出された周囲温度が所定温度よりも低い場合に、動作モードとして前記低消費電力モードを設定する、ことを特徴とする。
【００１５】
本発明の第６の態様に係る撮像装置は、上記第２乃至５の何れか一つの態様において、前記制御手段は、前記被写体追尾手段の検出結果に応じ、前記主要被写体が前記第二の領域内に存在しなかった場合には前記被写体追尾手段に対して前記主要被写体の位置を第一の周期で検出するように指示し、前記主要被写体が前記第二の領域内に存在した場合には前記被写体追尾手段に対して前記主要被写体の位置を前記第一の周期よりも短い第二の周期で検出するように指示し、前記被写体追尾手段は、前記主要被写体の位置を、前記制御手段の指示に応じた周期で検出する、ことを特徴とする。
【００１６】
本発明の第７の態様に係る撮像装置は、上記第２乃至５の何れか一つの態様において、さらに、前記被写体追尾手段により周期的に検出される前記主要被写体の位置に関する情報から前記主要被写体の単位時間当たりの位置変化量を求める速度検出手段を備え、前記制御手段は、前記速度検出手段により検出された位置変化量が所定量未満である場合には前記被写体追尾手段に対して前記主要被写体の位置を前記第一の周期で検出するように指示し、前記速度検出手段により検出された位置変化量が所定量以上である場合には前記被写体追尾手段に対して前記主要被写体の位置を前記第一の周期よりも短い第二の周期で検出するように指示し、前記被写体追尾手段は、前記主要被写体の位置を、前記制御手段の指示に応じた周期で検出する、ことを特徴とする。
【００１７】
本発明の第８の態様に係る撮像装置は、上記第２乃至７の何れか一つの態様において、さらに、望遠側または広角側へズームする変倍手段を備え、前記制御手段は、前記変倍手段のズーム状態が望遠側であって且つ前記主要被写体が前記第二の領域内に存在した場合に、前記変倍手段に対して広角側へズームするように指示し、前記変倍手段は、前記制御手段の指示に応じてズームする、ことを特徴とする。
【００１８】
本発明の第９の態様に係る撮像装置は、上記第８の態様において、前記変倍手段は、光学的変倍によりズームする、ことを特徴とする。
本発明の第１０の態様に係る撮像装置は、上記第８の態様において、前記変倍手段は、前記撮像手段により取得される撮像画像の切り出し領域の可変による電子的変倍によりズームする、ことを特徴とする。
【００１９】
また、本発明は、上記の撮像装置の他、告知方法、告知プログラム、及び記録媒体として構成される。
【発明の効果】
【００２０】
開示の装置、方法、プログラム、及び記録媒体は、自動追尾機能使用時の動画撮影中において、使い勝手を悪くすることなく低消費電力化を実現することができる、という効果を奏する。
【図面の簡単な説明】
【００２１】
【図１Ａ】第１の実施形態に係る撮像装置であるデジタルカメラの背面斜視図である。
【図１Ｂ】図１Ａに示したデジタルカメラの一部を拡大した図である。
【図２】第１の実施形態に係る撮像装置であるデジタルカメラの構成例を示す図である。
【図３】ＡＳＩＣのシステム構成例を示す図である。
【図４】第１の実施形態に係る、追尾録画処理中の表示例を説明する図である。
【図５】第１の実施形態に係る、追尾録画処理中の表示の推移例を説明する図である。
【図６】第１の実施形態に係る、主要被写体の設定例を説明する図である。
【図７】第１の実施形態に係る、デジタルカメラの動作例を示すフローチャートである。
【図８】第１の実施形態に係る、追尾録画処理の詳細を示すフローチャートである。
【図９】第２の実施形態に係る、追尾録画処理中の表示例を説明する図である。
【図１０】第２の実施形態に係る、追尾録画処理中の表示の推移例を説明する図である。
【図１１】第２の実施形態に係る、追尾録画処理の詳細を示すフローチャートである。
【図１２】第２の実施形態の変形例に係る、デジタルカメラの動作例を示すフローチャートである。
【図１３】第２の実施形態の変形例に係る、主要被写体設定処理の詳細を示すフローチャートである。
【図１４】第２の実施形態の変形例に係る、領域設定処理の詳細を示すフローチャートである。
【図１５Ａ】第２の実施形態の変形例に係る、追尾録画処理の詳細を示す第１のフローチャートである。
【図１５Ｂ】第２の実施形態の変形例に係る、追尾録画処理の詳細を示す第２のフローチャートである。
【図１６】第３の実施形態に係る、追尾録画処理中の表示例を説明する図である。
【図１７】第３の実施形態に係る、追尾録画処理中の表示例を説明する図である。
【図１８】第３の実施形態に係る、追尾録画処理中の表示例を説明する図である。
【図１９】第３の実施形態に係る、追尾録画処理の詳細を示すフローチャートである。
【図２０】第３の実施形態の変形例に係る、２つのフレームが楕円の形状になるように、第一の領域、第二の領域（内側領域、外側領域）を設定した例を説明する図である。
【図２１】第３の実施形態の変形例に係る、第一の領域に対して第二の領域（内側領域、外側領域）が撮像画像の左右方向に設けられる例を説明する図である。
【図２２】第３の実施形態の変形例に係る、第一の領域に対して第二の領域（内側領域、外側領域）が撮像画像の上下方向に設けられる例を説明する図である。
【発明を実施するための形態】
【００２２】
以下、図面を参照しながら本発明の実施の形態を説明する。
＜第１の実施形態＞
図１Ａは、第１の実施形態に係る撮像装置であるデジタルカメラの背面斜視図である。図１Ｂは、図１Ａに示したデジタルカメラの一部を拡大した図である。
【００２３】
図１Ａに示したように、デジタルカメラ１００は、上面に、ＥＶＦ（Electronic View Finder：電子ビューファインダ）１０１、電源ボタン１０２、レリーズボタン１０３、動画記録ボタン１０４、測温センサ１０５を備える。
【００２４】
ＥＶＦ１０１は、デジタルカメラ１００から取り外し可能な外付型のＥＶＦ、又は、デジタルカメラ１００に内蔵される内蔵型のＥＶＦであり、ファインダ接眼部１０１ａ、インジケータ１０１ｂ、１０１ｃを含む。インジケータ１０１ｂは、赤色のＬＥＤ（Light Emitting Diode）である。インジケータ１０１ｃは、赤色と緑色の２色ＬＥＤである。詳しくは後述するように、インジケータ１０１ｂは、追尾録画処理中であって且つ表示先がＥＶＦ１０１とされているときに、点灯（赤色点灯）する。また、インジケータ１０１ｃは、追尾録画処理中であって且つ表示先がＥＶＦ１０１とされているときに、撮像画像上の追尾対象被写体の位置に応じて、緑色ＬＥＤのみが点灯（緑色点灯）、赤色ＬＥＤと緑色ＬＥＤの両方が点灯（橙色点灯）、又は、赤色ＬＥＤのみが点灯（赤色点灯）する。
【００２５】
なお、追尾録画処理とは、詳しくは後述するように、追尾対象とする被写体を自動追尾しながら動画撮影を行う処理のことをいう。以下では、追尾対象とする被写体を主要被写体という。
【００２６】
電源ボタン１０２は、デジタルカメラ１００の電源をオンする指示、オフする指示を行うためのボタンである。電源ボタン１０２においては、それが押下される毎に電源をオンする指示またはオフする指示が交互に行われる。
【００２７】
レリーズボタン１０３は、静止画像の記録準備指示（撮影準備指示）、記録指示（撮影指示）を行うためのボタンである。レリーズボタン１０３は二段階式のボタンであり、それが一段階目まで押下されると（半押しされると）静止画像の記録準備指示が行われ、二段階目まで押下されると（全押しされると）静止画像の記録指示が行われる。
【００２８】
動画記録ボタン１０４は、動画像の記録開始指示（撮影開始指示）、記録停止指示（撮影停止指示）を行うためのボタンである。動画記録ボタン１０４においては、それが押下される毎に記録開始指示または記録停止指示が交互に行われる。
【００２９】
測温センサ１０５は、例えばサーミスタ等であり、デジタルカメラ１００の周囲温度を検出する。
また、デジタルカメラ１００は、側面に、マイク／スピーカ端子（以下「ＭＩＣ／ＳＰ端子」という）１０６、ビデオ出力端子１０７、図示しないＵＳＢ（Universal Serial Bus）端子等を備える。
【００３０】
ＭＩＣ／ＳＰ端子１０６は、外部マイクロフォン、外部スピーカをデジタルカメラ１００に接続するための端子である。
ビデオ出力端子１０７は、例えばテレビジョン等の外部表示装置をデジタルカメラ１００に接続するための端子である。
【００３１】
図示しないＵＳＢ端子は、例えばＰＣ（Personal Computer）等の外部装置をデジタルカメラ１００に接続するための端子である。
また、デジタルカメラ１００は、背面に、ズームボタン１０８、表示切替ボタン１０９、インジケータ１１０、モードダイヤル１１１、指標１１１ａ、スピーカ１１２、十字ボタン１１３、ＯＫボタン１１４、メニューボタン１１５、削除ボタン１１６、タッチパネル１１７付きの背面液晶パネル１１８を備える。
【００３２】
ズームボタン１０８は、ワイド（Ｗｉｄｅ）ボタン１０８ａ、テレ（Ｔｅｌｅ）ボタン１０８ｂを有する。ワイドボタン１０８ａは、撮影レンズを広角側へ移動させる指示、動作モードをマクロモードへ切り替える指示、又は、デジタルズーム（電子ズーム）による縮小を指示するためのボタンである。ワイドボタン１０８ａにおいては、その押下に応じて撮影レンズを広角側へ移動させる指示が行われ、撮影レンズが最広角側へ移動した後もワイドボタン１０８ａが押下され続けられると、動作モードをマクロモードへ切り替える指示が行われる。また、デジタルズームによる拡大が指示されていた場合にワイドボタン１０８ａが押下されると、デジタルズームによる縮小が指示される。テレボタン１０８ｂは、撮影レンズを望遠側へ移動させる指示、又は、デジタルズームによる拡大を指示するためのボタンである。テレボタン１０８ｂにおいては、その押下に応じて撮影レンズを望遠側へ移動させる指示が行われ、撮影レンズが最望遠側へ移動した後もテレボタン１０８ｂが押下され続けられると、デジタルズームによる拡大が指示される。
【００３３】
なお、撮影レンズを広角側又は望遠側へ移動させることによりズーム（変倍）することを光学的変倍という。また、デジタルズームとは、撮像画像の切り出し領域の可変による電子的変倍によりズームすることをいう。
【００３４】
表示切替ボタン１０９は、表示先をＥＶＦ１０１又は背面液晶パネル１１８へ切り替える指示を行うためのボタンである。表示切替ボタン１０９においては、それが押下される毎に、表示先をＥＶＦ１０１又は背面液晶パネル１１８へ切り替える指示が交互に行われる。
【００３５】
インジケータ１１０は、赤色のＬＥＤである。詳しくは後述するように、インジケータ１１０は、追尾録画処理中であって且つ画像表示先が背面液晶パネル１１８とされているときに、主要被写体の位置に応じて、点灯（赤色点灯）、又は点滅（赤色点滅）する。
【００３６】
モードダイヤル１１１は、動作モードを切り替える指示を行うためのものである。本実施形態では、図１Ｂに示したように、指標１１１ａに対するモードダイヤル１１１の回転位置に応じて、マニュアルモード（Ｍ）、スキーモード（ＳＫＩ）、絞り優先モード（Ａ）、プログラムモード（Ｐ）、オートモード（ｉＡＵＴＯ）、アートモード（ＡＲＴ）、シーンモード（ＳＣＮ）の何れかへ切り替えられる。なお、図１Ｂでは、スキーモードへ切り替えられた状態を示している。スキーモードは、スキーやスノーボード等の撮影シーンに適した動作モードである。また、モードダイヤル１１１によってシーンモードへ切り替えられると、予めシーンモードとしてユーザにより設定されている動作モードへ切り替えられる。シーンモードとして設定可能な動作モードは、例えば、スポーツの撮影シーンに適したスポーツモードや、夜景の撮影シーンに適した夜景モード等である。シーンモードの設定は、例えば、後述のメニュー画面を介して行うことができる。
【００３７】
スピーカ１１２は、音を発する手段である。例えば、詳しくは後述するように、スピーカ１１２は、追尾録画処理中に、撮像画像上の主要被写体の位置に応じて、警告音を発する。警告音は、２ｋＨｚ程度の“ピーッ”、“ピッピッ”のような連続もしくは断続的なＢｅｅｐ音を発する。但し、警告音を発すると、その警告音も記録されてしまい、再生時において視聴者に違和感を与える虞がある。そこで、本実施形態では、その警告音と、その警告音とは逆位相の音とを内部処理により合成して記録する等して、再生時に警告音が視聴者に聞こえないようにしている。なお、警告音を発する手段として、他の手段を用いるようにしてもよい。例えば、警告音を発する手段として振動手段を設け、その振動手段による振動によって警告音を発するようにしてもよい。但し、この場合には、その振動の周波数を低くする（例えば１００Ｈｚ程度にする）等して、デジタルカメラ１００が備える図示しない内蔵マイクロフォンのＨＰＦ（High Pass Filter）により、その警告音がカットされるようにする必要がある。
【００３８】
十字ボタン１１３は、上下左右の４方向に操作することにより、背面液晶パネル１１８に表示された被選択対象（例えばメニュー項目など）を選択する指示を行うためのボタンである。
【００３９】
ＯＫボタン１１４は、十字ボタン１１３により選択された被選択対象を確定する指示を行うためのボタンである。
メニューボタン１１５は、背面液晶パネル１１８にメニュー画面を表示する指示を行うためのボタンである。なお、メニューボタン１１５は、メニュー画面表示中におけるＯＫボタン１１４による確定指示を解除する指示を行うためのボタンでもある。
【００４０】
削除ボタン１１６は、記録媒体に記録された撮影画像の中から十字ボタン１１３とＯＫボタン１１４により選択、確定された一つ以上の撮影画像を削除する指示を行うためのボタンである。
【００４１】
タッチパネル１１７は、背面液晶パネル１１８上に重ねて配置されており、背面液晶パネル１１８に対するユーザのタッチ操作を検出する。
背面液晶パネル１１８は、画像、メニュー画面等を表示する。
【００４２】
図２は、デジタルカメラ１００の構成例を示す図である。
図２に示したように、デジタルカメラ１００は、撮影レンズ１２１、レンズシャッター１２２、ＣＣＤ（Charge Coupled Device）１２３、ＡＳＩＣ（Application Specific Integrated Circuit）１２４、ＥＶＦパネル表示制御部１２５、ＥＶＦパネル１２６、ＬＥＤ部１２７、操作部１２８、電源部１２９、電池１３０、測温センサ１０５、タッチパネル１１７、背面液晶パネル表示制御部１３１、背面液晶パネル１１８、明るさ制御部１３２、バックライト１３３、マイク／スピーカ部（ＭＩＣ／ＳＰ部）１３４、ＭＩＣ／ＳＰ端子１０６、ビデオ出力端子１０７、ＳＤＲＡＭ（Synchronous Dynamic Random Access Memory）１３５、ＦＬＡＳＨメモリ１３６、記録媒体１３７、加速度センサ１３８、合焦・変倍制御部１３９、露光機構１４０、絞り機構１４１を含む。
【００４３】
撮影レンズ１２１は、ＣＣＤ１２３の受光面に被写体像を形成するためのレンズ群であり、フォーカスレンズ（焦点調節用レンズ）、ズームレンズ（変倍用レンズ）を含む。なお、ズームレンズは、変倍手段の一例である。
【００４４】
レンズシャッター１２２は、複数の羽根を開閉させて露光を行う方式のシャッターであり、ＣＣＤ１２３の受光面に形成される被写体像の光量を制限する絞りも兼ねる。
ＣＣＤ１２３は、受光面に形成された被写体像をアナログ電気信号に変換し、ＣＤＳ（Correlated Double Sampling）、ＡＧＣ（Automatic Gain Control）等の処理を行う。なお、ＣＣＤ１２３は撮像手段の一例であり、ＣＣＤ１２３の代わりに、ＣＭＯＳ（Complementary Metal Oxide Semiconductor）等の他の種類の撮像手段を用いるようにしてもよい。
【００４５】
ＡＳＩＣ１２４は、図３を用いて後述するように、画像処理、入出力（Ｉ／Ｏ）処理、各部の制御処理など、各種の処理を行う。
ＥＶＦパネル表示制御部１２５は、ＡＳＩＣ１２４により出力される制御信号及び表示データ（例えば画像データ）に基づいて、ＥＶＦパネル１２６の表示制御を行う。
【００４６】
ＥＶＦパネル１２６は、例えば液晶パネルであり、ＥＶＦパネル表示制御部１２５の制御の下に、表示データに応じた表示（例えば画像表示）を行う。なお、ＥＶＦパネル１２６は、表示手段の一例である。また、ＥＶＦパネル１２６は、ＥＶＦパネル表示制御部１２５の制御の下に、図示しない内蔵バックライトを点灯、減灯、又は消灯する。これにより、ＥＶＦパネル１２６の表示の明るさが変更される。なお、内蔵バックライト減灯時は、内蔵バックライト点灯時に比べて、ＥＶＦパネル１２６の表示が暗くなる。ＥＶＦパネル１２６（の内蔵バックライト）は、告知手段の一例である。
【００４７】
ＬＥＤ部１２７は、インジケータ１０１ｂ、１０１ｃ、及びインジケータ１１０を含み、ＡＳＩＣ１２４により出力される制御信号に基づいて、対応するＬＥＤの発光制御を行う。
【００４８】
操作部１２８は、電源ボタン１０２、レリーズボタン１０３、動画記録ボタン１０４、ズームボタン１０８（ワイドボタン１０８ａ、テレボタン１０８ｂ）、表示切替ボタン１０９、モードダイヤル１１１、十字ボタン１１３、ＯＫボタン１１４、メニューボタン１１５、削除ボタン１１６を含む複数の操作部材を有し、これらの操作部材の操作状態を検出し、その検出結果をＡＳＩＣ１２４へ出力する。
【００４９】
電源部１２９は、電源管理を行う。電源部１２９は、例えば、電池１３０の残量を検出し、その検出結果をＡＳＩＣ１２４へ出力する。また、電源部１２９は、例えば、電池１３０が備える測温センサ１３０ａの検出結果をＡＳＩＣ１２４へ出力する。
【００５０】
電池１３０は、一次電池又は二次電池である。また、電池１３０は、例えばサーミスタ等の測温センサ１３０ａを含む。測温センサ１３０ａは、主に、電池１３０の温度又はその周囲温度の検出に使用するが、デジタルカメラ１００の周囲温度の検出に使用してもよい。
【００５１】
測温センサ１０５は、デジタルカメラ１００の周囲温度を検出し、その検出結果をＡＳＩＣ１２４へ出力する。
なお、測温センサ１０５と、上記の測温センサ１３０ａは、測温手段の一例である。
【００５２】
タッチパネル１１７は、背面液晶パネル１１８に対するユーザのタッチ操作を検出し、その検出結果をＡＳＩＣ１２４へ出力する。
背面液晶パネル表示制御部１３１は、ＡＳＩＣ１２４により出力される制御信号及び表示データ（例えば画像データ）に基づいて、背面液晶パネル１１８の表示制御を行う。
【００５３】
背面液晶パネル１１８は、背面液晶パネル表示制御部１３１の制御の下に、表示データに応じた表示（例えば画像表示）を行う。なお、背面液晶パネル１１８は、表示手段の一例である。
【００５４】
明るさ制御部１３２は、ＡＳＩＣ１２４により出力される制御信号に基づいて、背面液晶パネル１１８のバックライト１３３の明るさを制御する。
バックライト１３３は、明るさ制御部１３２の制御の下に、点灯、減灯、又は消灯する。なお、バックライト１３３減灯時は、バックライト１３３点灯時に比べて、背面液晶パネル１１８の表示が暗くなる。背面液晶パネル１１８（のバックライト１３３）は、告知手段の一例である。
【００５５】
ＭＩＣ／ＳＰ部１３４は、スピーカ１１２と図示しない内蔵マイクロフォンを含む。また、ＭＩＣ／ＳＰ部１３４は、ＭＩＣ／ＳＰ端子１０６と接続されている。ＭＩＣ／ＳＰ部１３４は、ＡＳＩＣ１２４により出力されるオーディオ信号をスピーカ１１２へ出力する。これにより、スピーカ１１２からオーディオ信号に応じた音が発せられる。但し、ＭＩＣ／ＳＰ端子１０６に外部スピーカが接続されている場合には、スピーカ１１２よりも外部スピーカが優先され、ＡＳＩＣ１２４により出力されるオーディオ信号を外部スピーカへ出力する。これにより、外部スピーカからオーディオ信号に応じた音が発せられる。また、ＭＩＣ／ＳＰ部１３４は、内蔵マイクロフォンにより検出されたオーディオ信号をＡＳＩＣ１２４へ出力する。但し、ＭＩＣ／ＳＰ端子１０６に外部マイクロフォンが接続されている場合には、内蔵マイクロフォンよりも外部マイクロフォンが優先され、外部マイクロフォンにより検出されたオーディオ信号をＡＳＩＣ１２４へ出力する。
【００５６】
ビデオ出力端子１０７は、外部表示装置をデジタルカメラ１００に接続するための端子であり、これに外部表示装置が接続されている場合には、ＡＳＩＣ１２４により出力されるビデオ信号が、この端子を介して外部表示装置へ出力される。
【００５７】
ＳＤＲＡＭ１３５は、ＡＳＩＣ１２４内で処理されるデータを一次記憶するメモリである。例えば、ＡＳＩＣ１２４内の後述のＡ／Ｄ変換部により出力される画像データ、検出データや、ＡＳＩＣ１２４内の後述の画像処理部による処理中のデータ等を一次記憶する。
【００５８】
ＦＬＡＳＨメモリ１３６は、ＡＳＩＣ１２４内の後述のＣＰＵにより実行されるプログラム（告知プログラムを含む）や、そのプログラムの実行中に使用されるデータ等を記憶している。
【００５９】
記録媒体１３７は、デジタルカメラ１００に着脱自在なメモリカード等の記録媒体であり、撮影された画像を記録する。なお、記録媒体１３７は、着脱自在なものに限らず、デジタルカメラ１００に内蔵される不揮発性メモリやハードディスク等であっても良い。
【００６０】
加速度センサ１３８は、デジタルカメラ１００のパン方向、チルト方向、ヨー方向の加速度を検出し、その検出結果をＡＳＩＣ１２４へ出力する。
合焦・変倍制御部１３９は、ＡＳＩＣ１２４により出力される制御信号に基づいて、撮影レンズ１２１（フォーカスレンズ、ズームレンズ）の駆動を制御する。これにより、合焦・変倍が制御される。
【００６１】
露光機構１４０は、ＡＳＩＣ１２４により出力される露光に関する制御信号に基づいて、レンズシャッター１２２の駆動を制御する。これにより、露光が制御される。
絞り機構１４１は、ＡＳＩＣ１２４により出力される絞りに関する制御信号に基づいて、レンズシャッター１２２の駆動を制御する。これにより、絞りが制御される。
【００６２】
図３は、ＡＳＩＣ１２４のシステム構成例を示す図である。
図３に示したように、ＡＳＩＣ１２４は、Ａ／Ｄ変換部１５１、画像処理部１５２、表示制御部１５３、メカトロ制御部１５４、ＵＳＢ通信部１５５、Ｄ／Ａ変換部１５６、Ｉ／Ｏ部１５７、タイマ１５８、メモリＩ／Ｏ部１５９、ＣＰＵ１６０、オーディオ部１６１と、その各部が接続されるデータバス１６２とを含み、各部が互いにデータの送受が可能なように構成されている。
【００６３】
Ａ／Ｄ変換部１５１は、ＣＣＤ１２３により出力されたアナログ電気信号である画像データ（撮像画像の画像データ）を、デジタル電気信号である画像データに変換する。また、Ａ／Ｄ変換部１５１は、測温センサ１０５により出力されたアナログ電気信号である検出データ（測温センサ１０５の検出結果）を、デジタル電気信号である検出データに変換する。なお、Ａ／Ｄ変換部１５１により出力されたデジタル電気信号である画像データ、Ａ／Ｄ変換部１５１により出力されたデジタル電気信号である検出データは、メモリＩ／Ｏ部１５９を介してＳＤＲＡＭ１３５に一次記憶される。
【００６４】
画像処理部１５２は、各種の画像処理を行う。例えば、Ａ／Ｄ変換部１５１により出力されてＳＤＲＡＭ１３５に一次記憶された画像データを用いて、ＥＶＦパネル１２６に表示する画像の画像データを生成する。また、例えば、Ａ／Ｄ変換部１５１により出力されてＳＤＲＡＭ１３５に一次記憶された画像データを用いて、背面液晶パネル１１８に表示する画像の画像データを生成する。また、例えば、Ａ／Ｄ変換部１５１により出力されてＳＤＲＡＭ１３５に一次記憶された画像データを用いて、ビデオ信号用の画像データを生成する。また、例えば、Ａ／Ｄ変換部１５１により出力されてＳＤＲＡＭ１３５に一次記憶された画像データを用いて、デジタルズーム時における撮像画像からの切り出しを行う。なお、画像処理部１５２は、変倍手段の一例である。
【００６５】
また、画像処理部１５２は、自動追尾演算部１５２ａ、動きベクトル演算部１５２ｂを含む。自動追尾演算部１５２ａは、Ａ／Ｄ変換部１５１により出力されてＳＤＲＡＭ１３５に一次記憶された画像データに係る画像（撮像画像）上の主要被写体の位置を周期的に検出するための演算処理を行う。なお、自動追尾演算部１５２ａは、被写体追尾手段の一例である。動きベクトル演算部１５２ｂは、自動追尾演算部１５２ａによる演算処理により周期的に検出された主要被写体の位置を用いて、主要被写体の動きベクトルを求めるための演算処理を行う。
【００６６】
表示制御部１５３は、表示先に応じた表示制御処理を行う。例えば、表示先がＥＶＦパネル１２６である場合には、対応する制御信号および表示データをＥＶＦパネル表示制御部１２５へ出力する。ここで、表示データは、例えば、画像処理部１５２により生成された上述のＥＶＦパネル１２６に表示する画像の画像データである。また、例えば、表示先が背面液晶パネル１１８である場合には、対応する制御信号および表示データを背面液晶パネル表示制御部１３１へ出力する。ここで、表示データは、例えば、画像処理部１５２により生成された上述の背面液晶パネル１１８に表示する画像の画像データである。また、例えば、表示先がテレビジョン等の外部表示装置（ビデオ出力端子１０７に接続された外部表示装置）である場合には、表示データをビデオ信号に変換し、ビデオ出力端子１０７へ出力する。ここで、表示データは、例えば、画像処理部１５２により生成された上述のビデオ信号用の画像データである。
【００６７】
メカトロ制御部１５４は、撮影レンズ１２１（フォーカスレンズ、ズームレンズ）の駆動、レンズシャッター１２２の駆動等のメカトロ制御処理を行う。例えば、撮影レンズ１２１（フォーカスレンズ、ズームレンズ）の駆動を制御するために、合焦・変倍制御部１３９へ制御信号を出力する。また、例えば、露光のためのレンズシャッター１２２の駆動を制御するために、露光機構１４０へ制御信号を出力する。また、例えば、絞りのためのレンズシャッター１２２の駆動を制御するために、絞り機構１４１へ制御信号を出力する。
【００６８】
ＵＳＢ通信部１５５は、図示しないＵＳＢ端子にＵＳＢケーブルを介して接続された外部装置（例えばＰＣ）との間で通信を行う。
Ｄ／Ａ変換部１５６は、バックライト１３３の明るさを制御するためのデジタル信号である制御信号を、アナログ信号である制御信号に変換し、明るさ制御部１３２へ出力する。
【００６９】
Ｉ／Ｏ部１５７は、加速度センサ１３８、タッチパネル１１７、ＬＥＤ部１２７、電源部１２９、操作部１２８、記録媒体１３７との間でのデータの入出力を制御する。
タイマ１５８は、時間を計測する。
【００７０】
メモリＩ／Ｏ部１５９は、ＳＤＲＡＭ１３５との間でのデータの入出力を制御する。
ＣＰＵ１６０は、ＦＬＡＳＨメモリ１３６に記憶されているプログラムを読み出し実行することによって、デジタルカメラ１００全体の動作を制御する。例えば、詳しくは後述するように、ＣＰＵ１６０は、撮像画像上に第一の領域、第二の領域を設定する処理、主要被写体を設定する処理、主要被写体が第一の領域内に存在するか否かを告知するための制御処理、低消費電力モードを設定する処理、主要被写体の単位時間当たりの位置変化量を求める処理等を行う。なお、ＣＰＵ１６０は、領域設定手段、主要被写体設定手段、制御手段、動作モード設定手段、速度検出手段の一例である。
【００７１】
オーディオ部１６１は、図示しないＡ／Ｄ変換部、Ｄ／Ａ変換部を含み、デジタル信号であるオーディオ信号（例えば警告音のオーディオ信号）を、アナログ信号であるオーディオ信号に変換して、ＭＩＣ／ＳＰ部１３４へ出力する。また、オーディオ部１６１は、例えば、ＭＩＣ／ＳＰ部１３４から入力されるアナログ信号であるオーディオ信号を、デジタル信号であるオーディオ信号に変換する。
【００７２】
なお、デジタルカメラ１００は、上述のとおり、制御、演算、記憶、入力、出力の機能要素を含むことから、コンピュータを含む撮像装置でもある。
次に、図４乃至図８を用いて、本実施形態に係る撮像装置であるデジタルカメラ１００の動作について説明する。ここでは、その動作の一例として、追尾録画処理に係る動作、及び、その関連動作を中心に説明する。はじめに、その動作の概要を図４乃至図６を用いて説明し、続いて、その動作のフローチャートを図７及び図８を用いて説明する。
【００７３】
図４は、追尾録画処理中の表示例を説明する図である。
なお、図４では、表示先を背面液晶パネル１１８とした場合を例に説明するが、表示先をＥＶＦパネル１２６とした場合も同様である。
【００７４】
追尾録画処理中では、動画撮影により得られている撮像画像と共に、その撮像画像上に矩形の一点鎖線のフレーム２０１が重畳されて表示される。フレーム２０１は、撮像画像上に予め設定されている第一の領域２０２と第二の領域２０３との境界を示す。第一の領域２０２は、撮像画像の中心を含む撮像画像上の領域であり、第二の領域２０３は、第一の領域２０２以外の撮像画像上の領域である。
【００７５】
そして、図４に示したように、予め主要被写体として設定されている被写体２０４が第二の領域２０３内に存在する場合には、主要被写体２０４が第一の領域２０２内のみに存在しない旨の告知として、背面液晶パネル１１８（のバックライト１３３）の点灯、インジケータ１１０の点滅、スピーカ１１２による警告音の発生を行う。なお、主要被写体２０４が第二の領域２０３内に存在する場合とは、より詳しくは、主要被写体２０４として認識された領域の一部又は全部が第二の領域２０３内に存在する場合のことをいう。また、主要被写体２０４が第一の領域２０２内のみに存在しない旨の告知は、主要被写体２０４が撮像画像上から外れる虞がある旨の告知でもある。
【００７６】
一方、図４には示していないが、主要被写体２０４が第二の領域２０３内に存在しない場合には、主要被写体２０４が第一の領域２０２内のみに存在する旨の告知として、背面液晶パネル１１８（のバックライト１３３）の消灯、インジケータ１１０の点灯を行う。なお、主要被写体２０４が第一の領域２０２内のみに存在する旨の告知は、主要被写体２０４が撮像画像上から外れる虞がない旨の告知でもある。
【００７７】
図５は、追尾録画処理中の表示の推移例を説明する図である。
図５において、(a)、(b)、(c)、(d)、(e) は、時刻ｔ１、ｔ２、ｔ３、ｔ４、ｔ５における表示状態を示している。時間は、時刻ｔ１からｔ５に向かって経過するものとする。(a)、(b)、(c)、(d)、(e) の各々において、左側の画像は、バックライト１３３を無視したときの背面液晶パネル１１８の表示、又は、内蔵バックライトを無視したときのＥＶＦパネル１２６の表示を示す。また、(a)、(b)、(c)、(d)、(e) の各々において、右側の画像は、実際の、背面液晶パネル１１８の表示、又は、ＥＶＦパネル１２６の表示を示す。また、(a)、(b)、(c)、(d)、(e) の各々におけるインジケータ１０１ｃ、インジケータ１１０は、表示先をＥＶＦパネル１２６としたときのインジケータ１０１ｃの状態、表示先を背面液晶パネル１１８としたときのインジケータ１１０の状態を示す。
【００７８】
図５において、時刻ｔ１では、(a) に示したように、主要被写体２０４が第二の領域２０３内に存在しないので、主要被写体２０４が第一の領域２０２内のみに存在する旨の告知を行う。すなわち、表示先を背面液晶パネル１１８としている場合には、その告知として、背面液晶パネル１１８（のバックライト１３３）の消灯、インジケータ１１０の点灯を行う。又は、表示先をＥＶＦパネル１２６としている場合には、その告知として、ＥＶＦパネル１２６（の内蔵バックライト）の消灯、インジケータ１０１ｃの点灯（緑色点灯）を行う。
【００７９】
時刻ｔ１の後の時刻ｔ２では、(b) に示したように、主要被写体２０４が第二の領域２０３内に存在するので、主要被写体２０４が第一の領域２０２内のみに存在しない旨の告知を行う。すなわち、表示先を背面液晶パネル１１８としている場合には、その告知として、背面液晶パネル１１８（のバックライト１３３）の点灯、インジケータ１１０の点滅、スピーカ１１２による警告音の発生を行う。又は、表示先をＥＶＦパネル１２６としている場合には、その告知として、ＥＶＦパネル１２６（の内蔵バックライト）の点灯、インジケータ１０１ｃの点灯（赤色点灯）、スピーカ１１２による警告音の発生を行う。
【００８０】
時刻ｔ２の後の時刻ｔ３では、(c) に示したように、主要被写体２０４が依然として第二の領域２０３内に存在するので、(b) と同様に、主要被写体２０４が第一の領域２０２内のみに存在しない旨の告知を行う。
【００８１】
ここで、ユーザが、その告知を基に、主要被写体２０４が撮像画像上から外れないように、デジタルカメラ１００を右側へパンニングし始めたとする。
しかしながら、時刻ｔ３の後の時刻ｔ４では、(d) に示したように、主要被写体２０４が依然として第二の領域２０３内に存在するので、(b) 又は(c) と同様に、主要被写体２０４が第一の領域２０２内のみに存在しない旨の告知を行う。
【００８２】
そして、時刻ｔ４の後の時刻ｔ５では、(e) に示したように、主要被写体２０４が第二の領域２０３内に存在しないので、(a) と同様に、主要被写体２０４が第一の領域２０２内のみに存在する旨の告知を行う。
【００８３】
このように、追尾録画処理中では、主要被写体が撮像画像上から外れる虞がない場合には、背面液晶パネル１１８又はＥＶＦパネル１２６が消灯して、低消費電力化が図られる。一方、主要被写体２０４が撮像画像から外れる虞がある場合には、背面液晶パネル１１８又はＥＶＦパネル１２６が点灯する等して、その旨がユーザに通知される。
【００８４】
図６は、主要被写体の設定例を説明する図である。
図６に示したように、主要被写体の設定は、例えば、(a) に示したように、背面液晶パネル１１８にスルー画像が表示されているときに、そのスルー画像上の所望の被写体２１１にユーザが指等でタッチすることによって行われる。又は、(b) に示したように、背面液晶パネル１１８又はＥＶＦパネル１２６にスルー画像が表示されているときに、そのスルー画像上の所望の被写体２１１がＡＦ（Auto Focus）枠２１２内に入るように構図を決めた上でレリーズボタン１０３を一段階目まで押下（半押し）することによって行われる。なお、スルー画像とは、ＣＣＤ１２３の受光面に形成されている被写体像に応じた画像をリアルタイムに表示するようにしたときの画像のことをいい、ライブビュー画像ともいう。
【００８５】
このような方法により、被写体２１１が主要被写体として設定される。
このようにして設定される主要被写体は、より詳しくは、(c) に示したように、主要被写体とされる被写体２１１を囲む矩形領域（４つのマーク２１３により囲まれた領域）として設定される。なお、４つのマーク２１３は、実際には表示されない。
【００８６】
図７は、デジタルカメラ１００の動作例を示すフローチャートである。
なお、このフローチャートは、ＣＰＵ１６０がＦＬＡＳＨメモリ１３６に記憶されているプログラムを読み出し実行することによって行われるものである。
【００８７】
図７に示したように、ＣＰＵ１６０は、デジタルカメラ１００の電源がオフされているときに電源ボタン１０２の押下を検出して電源をオンすると、表示先として初期設定されている背面液晶パネル１１８へのスルー画像の表示を開始すると共に、本動作を開始する。なお、表示先は、上述のとおり、表示切替ボタン１０９の押下により、ＥＶＦパネル１２６へ変更することも可能である。
【００８８】
まず、ＣＰＵ１６０は、低消費電力モードがオンに設定されているか否かを判定する（Ｓ１０１）。なお、低消費電力モードのオン／オフは、メニュー画面を介して、ユーザが任意に設定可能である。低消費電力モードがオフの場合には、通常モードが設定される。
【００８９】
Ｓ１０１の判定結果がＮｏの場合、ＣＰＵ１６０は、測温センサ１０５又は電池１３０の測温センサ１３０ａにより検出された温度が、所定の温度（例えば５℃）よりも低いか否かを判定する（Ｓ１０２）。なお、所定の温度は、メニュー画面を介して、ユーザが任意に設定可能である。
【００９０】
Ｓ１０２の判定結果がＮｏの場合、ＣＰＵ１６０は、スポーツモード又はスキーモードが設定されているか否かを判定する（Ｓ１０３）。なお、スポーツモードは、上述のとおり、モードダイヤル１１１（ＳＣＮ）とメニュー画面によって設定可能である。また、スキーモードは、上述のとおり、モードダイヤル１１１（ＳＫＩ）によって設定可能である。
【００９１】
Ｓ１０３の判定結果がＮｏの場合、ＣＰＵ１６０は、通常（通常モード）のカメラ動作を行う（Ｓ１０４）。
一方、Ｓ１０１乃至Ｓ１０３の何れかの判定結果がＹｅｓの場合、ＣＰＵ１６０は、動作モードとして低消費電力モードを設定し、次のような動作を行う。まず、ＣＰＵ１６０は、主要被写体の設定処理を行う（Ｓ１０５）。この処理では、例えば、図６の(a) に示したように、ユーザによりタッチされた被写体を主要被写体として設定する。又は、図６の(b) に示したように、ユーザによりレリーズボタン１０３が一段階目まで押下（半押し）されたときにＡＦ枠内に入っている被写体を主要被写体として設定する。
【００９２】
Ｓ１０５の後、ＣＰＵ１６０は、追尾録画処理を行う（Ｓ１０６）。この処理では、詳しくは図８を用いて後述するように、動画記録ボタン１０４の押下に応じて、図４、図５を用いて説明したような、主要被写体を自動追尾しながらの動画撮影が行われる。
【００９３】
その後、ＣＰＵ１６０は、電源ボタン１０２の押下を検出すると、デジタルカメラ１００の電源をオフし、本動作を終了する。
【００９４】
図８は、追尾録画処理（Ｓ１０６）の詳細を示すフローチャートである。
図８に示したように、本処理が開始すると、まず、ＣＰＵ１６０は、動画記録ボタン１０４の押下を検出したか否か（録画開始か否か）を判定する（Ｓ２０１）。なお、このタイミングでの動画記録ボタン１０４の押下は、動画撮影中でないときの動画記録ボタン１０４の押下になるので、動画像の記録開始指示となる。
【００９５】
Ｓ２０１の判定において、その判定結果がＮｏの場合は、本判定を繰り返す。
一方、Ｓ２０１の判定結果がＹｅｓの場合、ＣＰＵ１６０は、動画像の記録を開始し、そして、図７のＳ１０５で設定された主要被写体が、予め設定されている第二の領域内に存在するか否かを判定する（Ｓ２０２）。
【００９６】
Ｓ２０２の判定結果がＹｅｓの場合、ＣＰＵ１６０は、例えば図５の(b)、(c)、(d) に示したように、背面液晶パネル１１８（のバックライト１３３）の点灯（Ｓ２０３）、インジケータ１１０の点滅、スピーカ１１２による警告音の発生を行う。
【００９７】
一方、Ｓ２０２の判定結果がＮｏの場合、ＣＰＵ１６０は、例えば図５の(a)、(e) に示したように、背面液晶パネル１１８（のバックライト１３３）の消灯（Ｓ２０４）、インジケータ１１０の点灯を行う。
【００９８】
その後、ＣＰＵ１６０は、動画記録ボタン１０４の押下を検出したか否か（録画停止か否か）を判定する（Ｓ２０５）。なお、このタイミングでの動画記録ボタン１０４の押下は、動画撮影中での動画記録ボタン１０４の押下になるので、動画像の記録停止指示となる。
【００９９】
Ｓ２０５の判定結果がＮｏの場合、処理がＳ２０２へ戻る。
一方、Ｓ２０５の判定結果がＹｅｓの場合、ＣＰＵ１６０は動画像の記録を停止し、処理がリターンする。
【０１００】
以上、本実施形態によれば、追尾録画処理中において、主要被写体が撮像画像上から外れる虞がない場合には、背面液晶パネル１１８又はＥＶＦパネル１２６が消灯することにより低消費電力化を図ることができる。一方、主要被写体２０４が撮像画像から外れる虞がある場合には、背面液晶パネル１１８又はＥＶＦパネル１２６の点灯、インジケータ１１０の点滅又はインジケータ１０１ｃの点灯（赤色点灯）、警告音の発生を行うことにより、その旨をユーザに通知することができる。よって、追尾録画処理において、ユーザの使い勝手を悪くすることなく低消費電力化を実現することができる。
【０１０１】
＜第２の実施形態＞
第２の実施形態に係る撮像装置であるデジタルカメラは、第１の実施形態に係る撮像装置であるデジタルカメラ１００に対して、構成は基本的に同じであるが、動作が一部で異なっている。そこで、第２の実施形態の説明では、その動作を中心に説明する。また、第２の実施形態の説明では、第１の実施形態に係る撮像装置であるデジタルカメラ１００の構成要素と同一の構成要素については、同一の符号を付して説明する。
【０１０２】
はじめに、第２の実施形態に係る動作の概要を図９及び図１０を用いて説明し、続いて、その動作のフローチャートを図１１を用いて説明する。
図９は、本実施形態に係る追尾録画処理中の表示例を説明する図である。
【０１０３】
なお、図９では、表示先を背面液晶パネル１１８とした場合を例に説明するが、表示先をＥＶＦパネル１２６とした場合も同様である。
追尾録画処理中では、動画撮影により得られている撮像画像と共に、その撮像画像上に矩形の一点鎖線のフレーム２０１、矩形の点線のフレーム３０１が重畳されて表示される。フレーム２０１は、第１の実施形態で説明したように、撮像画像上に予め設定されている第一の領域２０２と第二の領域２０３との境界を示す。フレーム３０１は、第二の領域２０３上に予め設定されている内側領域２０３ａと外側領域２０３ｂとの境界を示す。内側領域２０３ａは、撮像画像の中心に近い方の第二の領域２０３上の領域である。外側領域２０３ｂは、撮像画像の中心から遠い方の第二の領域２０３上の領域であり、また、内側領域２０３ａ以外の第二の領域２０３上の領域でもある。
【０１０４】
そして、図９に示したように、予め主要被写体として設定されている被写体３０２が第二の領域２０３上の外側領域２０３ｂ内に存在する場合には、主要被写体３０２が第一の領域２０２内のみに存在しない旨の告知を行うと共に、主要被写体３０２の位置検出周期を短くする（周期Ｔ１にする）。その告知としては、背面液晶パネル１１８（のバックライト１３３）の点灯、インジケータ１１０の早い点滅、スピーカ１１２による警告音の発生、主要被写体３０２の移動方向の表示を行う。但し、図９では、説明の便宜のため、主要被写体３０２の移動方向の表示の図示を省略している。これについては、図１０を用いて後述する。なお、主要被写体３０２が第二の領域２０３上の外側領域２０３ｂ内に存在する場合とは、より詳しくは、主要被写体３０２として認識された領域の一部又は全部が第二の領域２０３上の外側領域２０３ｂ内に存在する場合のことをいう。また、主要被写体３０２が第一の領域２０２内のみに存在しない旨の告知は、主要被写体３０２が撮像画像上から外れる虞がある旨の告知でもある。
【０１０５】
一方、図９には示していないが、主要被写体３０２が第二の領域２０３上の外側領域２０３ｂ内には存在しないが内側領域２０３ａ内には存在する場合には、主要被写体３０２が第一の領域２０２内のみに存在しない旨の告知を行うと共に、主要被写体３０２の位置検出周期を短くする（周期Ｔ１にする）。その告知としては、背面液晶パネル１１８（のバックライト１３３）の減灯、インジケータ１１０のゆっくりの点滅、スピーカ１１２による警告音の発生を行う。なお、主要被写体３０２が第二の領域２０３上の外側領域２０３ｂ内には存在しないが内側領域２０３ａ内には存在する場合とは、より詳しくは、主要被写体３０２として認識された領域の一部又は全部が第二の領域２０３上の外側領域２０３ｂ内には存在しないが内側領域２０３ａ内には存在する場合のことをいう。
【０１０６】
また、図９には示していないが、主要被写体３０２が第二の領域２０３内に存在しない場合には、主要被写体３０２が第一の領域２０２内のみに存在する旨の告知を行うと共に、主要被写体３０２の位置検出周期を長くする（周期Ｔ２にする）。その告知としては、背面液晶パネル１１８（のバックライト１３３）の消灯、インジケータ１１０の点灯を行う。
【０１０７】
図１０は、本実施形態に係る追尾録画処理中の表示の推移例を説明する図である。
図１０において、(a)、(b)、(c)、(d)、(e) は、時刻ｔ１、ｔ２、ｔ３、ｔ４、ｔ５における表示状態を示している。(a)、(b)、(c)、(d)、(e) の各々において、左側の画像は、バックライト１３３及び主要被写体の移動方向の表示を無視したときの背面液晶パネル１１８の表示、又は、内蔵バックライト及び主要被写体の移動方向の表示を無視したときのＥＶＦパネル１２６の表示を示す。また、(a)、(b)、(c)、(d)、(e) の各々において、右側の画像は、実際の、背面液晶パネル１１８の表示、又は、ＥＶＦパネル１２６の表示を示す。また、(a)、(b)、(c)、(d)、(e) の各々におけるインジケータ１０１ｃ、インジケータ１１０は、表示先をＥＶＦパネル１２６としたときのインジケータ１０１ｃの状態、表示先を背面液晶パネル１１８としたときのインジケータ１１０の状態を示す。
【０１０８】
図１０において、時刻ｔ１では、(a) に示したように、主要被写体３０２が第二の領域２０３内に存在しないので、主要被写体３０２が第一の領域２０２内のみに存在する旨の告知を行うと共に、主要被写体３０２の位置検出周期を長くする（周期Ｔ２にする）。その告知は、次のようにして行う。すなわち、表示先を背面液晶パネル１１８としている場合には、その告知として、背面液晶パネル１１８（のバックライト１３３）の消灯、インジケータ１１０の点灯を行う。又は、表示先をＥＶＦパネル１２６としている場合には、その告知として、ＥＶＦパネル１２６（の内蔵バックライト）の消灯、インジケータ１０１ｃの点灯（緑色点灯）を行う。
【０１０９】
時刻ｔ１の後の時刻ｔ２では、(b) に示したように、主要被写体３０２が第二の領域２０３上の外側領域２０３ｂ内には存在しないが内側領域２０３ａ内には存在するので、主要被写体３０２が第一の領域２０２内のみに存在しない旨の告知を行うと共に、主要被写体３０２の位置検出周期を短くする（周期Ｔ１にする）。その告知は、次のようにして行う。すなわち、表示先を背面液晶パネル１１８としている場合には、その告知として、背面液晶パネル１１８（のバックライト１３３）の減灯、インジケータ１１０のゆっくりの点滅、スピーカ１１２による警告音の発生を行う。又は、表示先をＥＶＦパネル１２６としている場合には、その告知として、ＥＶＦパネル１２６（の内蔵バックライト）の減灯、インジケータ１０１ｃの点灯（橙色点灯）、スピーカ１１２による警告音の発生を行う。
【０１１０】
時刻ｔ２の後の時刻ｔ３では、(c) に示したように、主要被写体３０２が第二の領域２０３上の外側領域２０３ｂ内に存在するので、主要被写体３０２が第一の領域２０２内のみに存在しない旨の告知を行うと共に、主要被写体３０２の位置検出周期を短くする（周期Ｔ１にする）。その告知は、次のようにして行う。すなわち、表示先を背面液晶パネル１１８としている場合には、その告知として、背面液晶パネル１１８（のバックライト１３３）の点灯、インジケータ１１０の早い点滅、スピーカ１１２による警告音の発生、主要被写体３０２の移動方向の表示を行う。又は、表示先をＥＶＦパネル１２６としている場合には、その告知として、ＥＶＦパネル１２６（の内蔵バックライト）の点灯、インジケータ１０１ｃの点灯（赤色点灯）、スピーカ１１２による警告音の発生、主要被写体３０２の移動方向の表示を行う。なお、主要被写体３０２の移動方向の表示としては、８方向を示す８つの方向マークと共に、そのうちの一つが主要被写体３０２の移動方向を示すマークであることをユーザが識別可能に表示する。(c) においては、８つの方向マークの中のマーク３１１が、主要被写体３０２の移動方向を示すマークとなる。
【０１１１】
ここで、ユーザが、その告知を基に、主要被写体３０２が撮像画像上から外れないように、デジタルカメラ１００を右側へパンニングし始めたとする。なお、ここでは、主要被写体３０２の移動方向の表示も行われているので、ユーザは、デジタルカメラ１００をどちらへ向ければ主要被写体３０２が撮像画像上から外れないようになるのかを、速やかに判断することができる。
【０１１２】
しかしながら、時刻ｔ３の後の時刻ｔ４では、(d) に示したように、主要被写体３０２が依然として第二の領域２０３内に存在するので、(b) と同様に、主要被写体３０２が第一の領域２０２内のみに存在しない旨の告知を行うと共に、主要被写体３０２の位置検出周期を短くする（周期Ｔ１にする）。
【０１１３】
そして、時刻ｔ４の後の時刻ｔ５では、(e) に示したように、主要被写体３０２が第二の領域２０３内に存在しなくなるので、(a) と同様に、主要被写体３０２が第一の領域２０２内のみに存在する旨の告知を行うと共に、主要被写体３０２の位置検出周期を長くする（周期Ｔ２にする）。
【０１１４】
このように、追尾録画処理中では、主要被写体が撮像画像上から外れる虞がない場合には、背面液晶パネル１１８又はＥＶＦパネル１２６が消灯すると共に主要被写体の位置検出周期が長くなり、低消費電力化が図られる。一方、主要被写体が撮像画像上から外れる虞がある又は多少ある場合には、背面液晶パネル１１８又はＥＶＦパネル１２６が点灯又は減灯する等して、その旨がユーザに通知されると共に、主要被写体の位置検出周期が短くなる。また、主要被写体が撮像画像上から外れる虞がある場合には、更に、主要被写体の移動方向の表示も行われる。
【０１１５】
図１１は、本実施形態に係る追尾録画処理の詳細を示すフローチャートである。なお、本実施形態に係るデジタルカメラ１００の動作例を示すフローチャートは、図７に示したものと同じであるが、Ｓ１０６の追尾録画処理の内容が、図１１に示すように、一部で異なっている。
【０１１６】
図１１に示したように、本処理が開始すると、まず、ＣＰＵ１６０は、動画記録ボタン１０４の押下を検出したか否か（録画開始か否か）を判定する（Ｓ３０１）。
Ｓ３０１の判定において、その判定結果がＮｏの場合は、本判定を繰り返す。
【０１１７】
一方、Ｓ３０１の判定結果がＹｅｓの場合、ＣＰＵ１６０は、動画像の記録を開始し、そして、図７のＳ１０５で設定された主要被写体が、予め設定されている第二の領域上の外側領域内に存在するか否かを判定する（Ｓ３０２）。
【０１１８】
Ｓ３０２の判定結果がＹｅｓの場合、ＣＰＵ１６０は、例えば図１０の(c) に示したように、背面液晶パネル１１８（のバックライト１３３）の点灯（Ｓ３０３）、インジケータ１１０の早い点滅、スピーカ１１２による警告音の発生を行う。また、後述のＳ３０９で保存された、主要被写体の直近の動きベクトルに応じて、例えば図１０の(c) に示したように、主要被写体の移動方向の表示を行う（Ｓ３０４）。さらに、自動追尾演算部１５２ａが主要被写体の位置を検出する際の周期を短くする（周期Ｔ１（＜Ｔ２）にする）（Ｓ３０５）。なお、周期Ｔ１、Ｔ２は、メニュー画面を介して、ユーザが任意に設定可能である。
【０１１９】
一方、Ｓ３０２の判定結果がＮｏ場合、ＣＰＵ１６０は、主要被写体が、予め設定されている第二の領域上の内側領域内に存在するか否かを判定する（Ｓ３０６）。
Ｓ３０６の判定結果がＹｅｓの場合、ＣＰＵ１６０は、例えば図１０の(b)、(d) に示したように、背面液晶パネル１１８（のバックライト１３３）の減灯（Ｓ３０７）、インジケータ１１０のゆっくりの点滅、スピーカ１１２による警告音の発生を行う。また、自動追尾演算部１５２ａが主要被写体の位置を検出する際の周期を短くする（周期Ｔ１（＜Ｔ２）にする）（Ｓ３０８）。さらに、自動追尾演算部１５２ａにより周期的に検出されている主要被写体の位置に関する情報を用いて動きベクトル演算部１５２ｂにより求められた動きベクトルの情報を、例えばＳＤＲＡＭ１３５に、保存する（Ｓ３０９）。
【０１２０】
一方、Ｓ３０６の判定結果がＮｏの場合、ＣＰＵ１６０は、例えば図１０の(a)、(e) に示したように、背面液晶パネル１１８（のバックライト１３３）の消灯（Ｓ３１０）、インジケータ１１０の点灯を行う。また、自動追尾演算部１５２ａが主要被写体の位置を検出する際の周期を長くする（周期Ｔ２（＞Ｔ１）にする）（Ｓ３１１）。
【０１２１】
その後、ＣＰＵ１６０は、動画記録ボタン１０４の押下を検出したか否か（録画停止か否か）を判定する（Ｓ３１２）。
Ｓ３１２の判定結果がＮｏの場合、処理がＳ３０２へ戻る。
【０１２２】
一方、Ｓ３１２の判定結果がＹｅｓの場合、ＣＰＵ１６０は動画像の記録を停止し、処理がリターンする。
以上、本実施形態によれば、追尾録画処理中において、主要被写体が撮像画像上から外れる虞がない場合には、背面液晶パネル１１８又はＥＶＦパネル１２６を消灯すると共に主要被写体の位置検出周期を長くすることにより低消費電力化を図ることができる。一方、主要被写体が撮像画像上から外れる虞がある場合には、背面液晶パネル１１８又はＥＶＦパネル１２６の点灯、インジケータ１１０の早い点滅又はインジケータ１０１ｃの点灯（赤色点灯）、警告音の発生、主要被写体の移動方向の表示を行うことにより、その旨をユーザに通知することができる。また、その主要被写体の移動方向の表示により、ユーザは、撮像画像上から主要被写体が外れないようにするためのデジタルカメラ１００の向きを速やかに判断することができる。よって、追尾録画処理において、ユーザの使い勝手を悪くすることなく低消費電力化を実現することができる。
【０１２３】
なお、本実施形態に係る動作おいては、次のような変形が可能である。
例えば、図１１に示した追尾録画処理において、自動追尾演算部１５２ａが主要被写体の位置を検出する際の周期を、主要被写体の撮像画像上の単位時間当たりの位置変化量に応じて、決定するようにしてもよい。例えば、その位置変化量が所定量以上である場合には周期を短くし（Ｔ１とし）、所定量未満である場合には周期を長くし（Ｔ２とし）てもよい。このようにする理由は、例えば、主要被写体の動きが速くなると、主要被写体が撮像画像上から外れる可能性が高くなるとも考えられるからである。なお、主要被写体の撮像画像上の単位時間当たりの位置変化量は、例えば、自動追尾演算部１５２ａにより周期的に検出されている主要被写体の位置に関する情報を用いて動きベクトル演算部１５２ｂにより求められる動きベクトルの情報から求められる。また、上記の所定量は、メニュー画面を介して、ユーザが任意に設定可能としてもよい。
【０１２４】
また、本実施形態に係るデジタルカメラ１００の動作を、例えば、次のように変形してもよい。
図１２は、本実施形態の変形例に係るデジタルカメラ１００の動作例を示すフローチャートである。
【０１２５】
図１２に示したフローチャートは、図７に示したフローチャートにおけるＳ１０５及びＳ１０６を、Ｓ４０１乃至Ｓ４０３に置き換えたものである。
Ｓ４０１では、ＣＰＵ１６０は、図１３を用いて後述する主要被写体設定処理を行う。Ｓ４０２では、ＣＰＵ１６０は、図１４を用いて後述する領域設定処理を行う。なお、領域設定処理とは、上述の第一の領域、第二の領域上の内側領域、第二の領域上の外側領域を設定する処理である。Ｓ４０３では、ＣＰＵ１６０は、図１５を用いて後述する追尾録画処理を行う。
【０１２６】
図１３は、本実施形態の変形例に係る主要被写体設定処理（Ｓ４０１）の詳細を示すフローチャートである。
図１３に示しように、本処理が開始すると、まず、ＣＰＵ１６０は、スポーツモード又はスキーモードが設定されているか否かを判定する（Ｓ５０１）。
【０１２７】
Ｓ５０１の判定結果がＹｅｓの場合、ＣＰＵ１６０は、スルー画像における撮像画像上の一定の割合の領域が、顔として認識可能な領域であるかを判定する（Ｓ５０２）。
一方、Ｓ５０１の判定結果がＮｏの場合、ＣＰＵ１６０は、スルー画像における撮像画像上に、予め登録されている顔の領域が存在するか否かを判定する（Ｓ５０３）。なお、顔の登録は、例えば、メニュー画面を介して、他の画像（他のデジタルカメラで撮影された画像等）を基に、ユーザが任意に設定可能である。
【０１２８】
Ｓ５０３の判定結果がＮｏの場合、ＣＰＵ１６０は、Ｓ５０２と同様に、スルー画像における撮像画像上の一定の割合の領域が、顔として認識可能な領域であるかを判定する（Ｓ５０４）。
【０１２９】
Ｓ５０４の判定結果がＮｏの場合、ＣＰＵ１６０は、ユーザにより主要被写体が設定されたか否かを判定する（Ｓ５０５）。なお、ユーザによる主要被写体の設定は、例えば、図６の(a)、(b) を用いて説明したようにして、行われる。
【０１３０】
Ｓ５０５又はＳ５０２の判定結果がＮｏの場合、ＣＰＵ１６０は、スルー画像の表示を継続して待機状態のまま（Ｓ５０６）、処理がＳ５０１へ戻る。
このように主要被写体が確定できない場合には、自動追尾を開始できない。
一方、Ｓ５０５、Ｓ５０４、Ｓ５０３、Ｓ５０２の何れかの判定結果がＹｅｓの場合、ＣＰＵ１６０は、スルー画像における撮像画像上の主要被写体の自動追尾を開始する（Ｓ５０７）。具体的には、Ｓ５０５の判定結果がＹｅｓであった場合には、ユーザにより設定された主要被写体の自動追尾を開始する。Ｓ５０４の判定結果がＹｅｓであった場合には、顔として認識可能な領域を主要被写体として設定し、その自動追尾を開始する。Ｓ５０３の判定結果がＹｅｓであった場合には、登録されている顔を主要被写体として設定し、その自動追尾を開始する。Ｓ５０２の判定結果がＹｅｓであった場合には、顔として認識可能な領域を主要被写体として設定し、その自動追尾を開始する。
【０１３１】
このようにして自動追尾が開始した後、処理がリターンする。
【０１３２】
図１４は、本実施形態の変形例に係る領域設定処理（Ｓ４０２）の詳細を示すフローチャートである。
図１４に示しように、本処理が開始すると、まず、ＣＰＵ１６０は、領域設定が自動に設定されているか否かを判定する（Ｓ６０１）。なお、領域設定の自動／手動は、メニュー画面を介して、ユーザが任意に設定可能である。
【０１３３】
Ｓ６０１の判定結果がＮｏの場合、ＣＰＵ１６０は、ユーザの手動による領域割合設定に応じて、第一の領域、第二の領域上の内側領域、第二の領域上の外側領域を設定する（Ｓ６０２）。なお、ユーザの手動による領域割合設定は、メニュー画面を介して、ユーザが任意に行うことができる。
【０１３４】
一方、Ｓ６０１の判定結果がＹｅｓの場合、ＣＰＵ１６０は、スポーツモード又はスキーモードが設定されているか否かを判定する（Ｓ６０３）。
Ｓ６０３の判定結果がＮｏの場合、ＣＰＵ１６０は、自動追尾中の主要被写体の単位時間当たりの位置変化量が所定量以上であるか否か（主要被写体の移動速度が所定速度よりも速いか否か）を判定する（Ｓ６０４）。なお、自動追尾中の主要被写体の単位時間当たりの位置変化量は、例えば、自動追尾演算部１５２ａにより周期的に検出されている主要被写体の位置に関する情報を用いて動きベクトル演算部１５２ｂにより求められる動きベクトルの情報から求められる。また、上記の所定量は、メニュー画面を介して、ユーザが任意に設定可能である。
【０１３５】
Ｓ６０４の判定結果がＮｏの場合、ＣＰＵ１６０は、第一の領域、第二の領域上の内側領域、第二の領域上の外側領域の割合が７０％、２０％、１０％になるように、それぞれの領域を設定する（Ｓ６０５）。
【０１３６】
一方、Ｓ６０４又はＳ６０３の判定結果がＹｅｓの場合、ＣＰＵ１６０は、第一の領域、第二の領域上の内側領域、第二の領域上の外側領域の割合が５０％、３０％、２０％になるように、それぞれの領域を設定する（Ｓ６０６）。このように、主要被写体の動きが速いことが想定される場合には、第二の領域の割合が高く設定される。
【０１３７】
Ｓ６０６、Ｓ６０５、又はＳ６０２の後は、処理がリターンする。
【０１３８】
図１５（図１５Ａ、図１５Ｂ）は、本実施形態の変形例に係る追尾録画処理（Ｓ４０３）の詳細を示すフローチャートである。
図１５に示したように、本処理が開始すると、まず、ＣＰＵ１６０は、動画記録ボタン１０４の押下を検出したか否か（録画開始か否か）を判定する（Ｓ７０１）。
Ｓ７０１の判定において、その判定結果がＮｏの場合は、本判定を繰り返す。
【０１３９】
一方、Ｓ７０１の判定結果がＹｅｓの場合、ＣＰＵ１６０は、動画像の記録を開始し、そして、主要被写体の撮像画像上の単位時間当たりの位置変化量が所定量未満であるか否か（主要被写体の移動速度が所定速度よりも遅いか否か）を判定する（Ｓ７０２）。なお、上記の所定量は、メニュー画面を介して、ユーザが任意に設定可能である。
【０１４０】
Ｓ７０２の判定結果がＹｅｓの場合、ＣＰＵ１６０は、主要被写体が第一の領域内のみに存在するか否かを判定する（Ｓ７０３）。
Ｓ７０３の判定結果がＮｏの場合、ＣＰＵ１６０は、主要被写体が第二の領域上の外側領域内に存在するか否かを判定する（Ｓ７０４）。
【０１４１】
Ｓ７０４の判定結果がＹｅｓの場合、ＣＰＵ１６０は、自動追尾演算部１５２ａが主要被写体の位置を検出する際の周期を短くする（周期Ｔ３にする）（Ｓ７０５）。なお、周期Ｔ３は、後述の周期Ｔ４、Ｔ５との間に、Ｔ３＜Ｔ４＜Ｔ５の関係にある。また、周期Ｔ３、Ｔ４、Ｔ５は、メニュー画面を介して、ユーザが任意に設定可能である。このように、Ｓ７０５では、主要被写体の単位時間当たりの位置変化量が所定量未満である（主要被写体の移動速度が所定速度よりも遅い）にもかかわらず、主要被写体が第二の領域上の外側領域内に存在する場合には、主要被写体の位置検出周期を短くしている。この理由は、例えば、後述のＳ７１６において、より正確な主要被写体の移動方向の表示を行うことを優先するからである。なお、主要被写体の移動方向の表示は、後述のＳ７１５で求められる動きベクトルに応じて行われ、その動きベクトルは、自動追尾演算部１５２ａにより周期的に検出される主要被写体の位置に関する情報に基づいて求められる。Ｓ７０５の後、ＣＰＵ１６０は、背面液晶パネル１１８（のバックライト１３３）の点灯（Ｓ７０６）、インジケータ１１０の点滅、スピーカ１１２による警告音の発生を行い、タイマ１５８のリセット及びスタートを行う（Ｓ７０７）。そして、Ｓ７０７の後は、処理がＳ７０２へ戻る。
【０１４２】
一方、Ｓ７０４又はＳ７０２の判定結果がＮｏの場合、ＣＰＵ１６０は、自動追尾演算部１５２ａが主要被写体の位置を検出する際の周期をデフォルトにする（周期Ｔ４にする）（Ｓ７０８）。
【０１４３】
一方、Ｓ７０３の判定結果がＹｅｓの場合、ＣＰＵ１６０は、自動追尾演算部１５２ａが主要被写体の位置を検出する際の周期を長くする（周期Ｔ５にする）（Ｓ７０９）。
Ｓ７０８又はＳ７０９の後、ＣＰＵ１６０は、Ｓ７０６又は後述のＳ７１６による背面液晶パネル１１８の点灯が開始されてから５秒以上経過したか否かを、タイマ１５８のカウント値に基づいて、判定する（Ｓ７１０）。但し、図１５に示した追尾録画処理中において、Ｓ７０６又はＳ７１６による背面液晶パネル１１８の点灯が一度も行われていない場合には、Ｓ７１０の判定結果はＹｅｓとされる。なお、上記の５秒は、例えば、メニュー画面を介して、ユーザが任意に変更可能である。このようなＳ７１０の判定を行う理由は、例えば、主要被写体が第二の領域上の外側領域内に存在したりしなかったりするような移動を繰り返していた場合に、背面液晶パネル１１８の点灯と消灯や、インジケータ１１０の点滅と点灯や、スピーカ１１２による警告音の発生有り無し等が、頻繁に繰り返されるのを防止するためである。
【０１４４】
Ｓ７１０の判定結果がＹｅｓの場合、ＣＰＵ１６０は、背面液晶パネル１１８（のバックライト１３３）の消灯（Ｓ７１１）、インジケータ１１０の点灯を行う。
一方、Ｓ７１０の判定結果がＮｏの場合、又は、Ｓ７１１の後は、ＣＰＵ１６０は、主要被写体が第一の領域内のみに存在するか否かを判定する（Ｓ７１２）。
【０１４５】
Ｓ７１２の判定結果がＮｏの場合、ＣＰＵ１６０は、自動追尾演算部１５２ａにより検出された主要被写体の位置に関する情報を、例えばＳＤＲＡＭ１３５に、保存する（Ｓ７１３）。但し、保存される主要被写体の位置に関する情報の数は、最大で、直近に保存された１０箇所の位置に関する情報までとする。
【０１４６】
Ｓ７１３の後、ＣＰＵ１６０は、主要被写体が第二の領域上の外側領域内に存在するか否かを判定する（Ｓ７１４）。
Ｓ７１４の判定結果がＹｅｓの場合、ＣＰＵ１６０は、保存されている主要被写体の直近の複数（例えば１０箇所）の位置に関する情報から主要被写体の動きベクトルを求めるように、動きベクトル演算部１５２ｂを制御する（Ｓ７１５）。なお、動きベクトル演算部１５２ｂにより求められる動きベクトルの精度は、自動追尾演算部１５２ａが主要被写体の位置を検出する際の周期が短くなるほど、高くなる。Ｓ７１５の後、ＣＰＵ１６０は、背面液晶パネル１１８（のバックライト１３３）の点灯（Ｓ７１６）、インジケータ１１０の点滅、スピーカ１１２による警告音の発生を行い、タイマ１５８のリセット及びスタートを行う（Ｓ７１７）。そして、ＣＰＵ１６０は、Ｓ７１５で求められた主要被写体の動きベクトルに応じて、例えば図１０の(c) に示したように、主要被写体の移動方向の表示を行う（Ｓ７１８）。
【０１４７】
Ｓ７１８の後、Ｓ７１４の判定結果がＮｏの場合、又は、Ｓ７１２の判定結果がＹｅｓの場合、ＣＰＵ１６０は、動画記録ボタン１０４の押下を検出したか否か（録画停止か否か）を判定する（Ｓ７１９）。
【０１４８】
Ｓ７１９の判定結果がＮｏの場合、処理がＳ３０２へ戻る。
一方、Ｓ７１９の判定結果がＹｅｓの場合、ＣＰＵ１６０は動画像の記録を停止し、処理がリターンする。
【０１４９】
以上、本実施形態の変形例によれば、図１３に示した主要被写体設定処理により、より柔軟に、主要被写体の設定を行うことができる。
また、図１４に示した領域設定処理により、より柔軟に、第一の領域、第二の領域（内側領域、外側領域）の設定を行うことができる。
【０１５０】
また、図１５に示した追尾録画処理により、当該処理中において、主要被写体が撮像画像上から外れる虞がない場合には、点灯後５秒以上経過している場合に限り背面液晶パネル１１８又はＥＶＦパネル１２６を消灯すると共に、主要被写体の位置検出周期を長くすることにより、低消費電力化を図ることができる。また、主要被写体が撮像画像上から外れる虞がさほどない場合には、点灯後５秒以上経過している場合に限り背面液晶パネル１１８又はＥＶＦパネル１２６を消灯することにより、低消費電力化を図ることができる。また、このように点灯後５秒以上経過している場合に限り背面液晶パネル１１８又はＥＶＦパネル１２６を消灯することにより、その点灯と消灯等が頻繁に繰り返されるのを防止することもできる。一方、主要被写体が撮像画像上から外れる虞がある場合には、背面液晶パネル１１８又はＥＶＦパネル１２６の点灯、インジケータ１１０の点滅又はインジケータ１０１ｃの点灯（赤色点灯）、警告音の発生、主要被写体の移動方向の表示を行うことにより、その旨をユーザに通知することができる。また、主要被写体の動きが遅くても主要被写体が撮像画像上から外れる虞がある場合には、主要被写体の位置検出周期が短くなるので、このときに求められた動きベクトルに応じて表示される主要被写体の移動方向を、より精度の高いものにすることができる。よって、追尾録画処理において、ユーザの使い勝手を悪くすることなく低消費電力化を実現することができる。
【０１５１】
＜第３の実施形態＞
第３の実施形態に係る撮像装置であるデジタルカメラは、第２の実施形態に係る撮像装置であるデジタルカメラ１００に対して、構成は基本的に同じであるが、動作が一部で異なっている。そこで、第３の実施形態の説明では、その動作を中心に説明する。また、第３の実施形態の説明では、第２の実施形態に係る撮像装置であるデジタルカメラ１００の構成要素と同一の構成要素については、同一の符号を付して説明する。
【０１５２】
はじめに、第３の実施形態に係る動作の概要を図１６乃至図１８を用いて説明し、続いて、その動作のフローチャートを図１９を用いて説明する。
図１６乃至図１８は、本実施形態に係る追尾録画処理中の表示例を説明する図である。
【０１５３】
なお、図１６乃至図１８では、表示先を背面液晶パネル１１８とした場合を例に説明するが、表示先をＥＶＦパネル１２６とした場合も同様である。
追尾録画処理中では、動画撮影により得られている撮像画像と共に、その撮像画像上に円形の一点鎖線のフレーム４０１、円形の点線のフレーム４０２、そのフレーム４０１、４０２に対応する焦点距離（本例では７０ｍｍ、５０ｍｍ）が重畳されて表示される。フレーム４０１は、撮像画像上に予め設定されている第一の領域４０３と第二の領域４０４との境界を示す。フレーム４０２は、第二の領域４０４上に予め設定されている内側領域４０４ａと外側領域４０４ｂとの境界を示す。内側領域４０４ａは、撮像画像の中心に近い方の第二の領域４０４上の領域である。外側領域４０４ｂは、撮像画像の中心から遠い方の第二の領域４０４上の領域であり、また、内側領域４０４ａ以外の第二の領域４０４上の領域でもある。フレーム４０１に対応する焦点距離は、フレーム４０１内の撮像範囲に対応する焦点距離である。フレーム４０２に対応する焦点距離は、フレーム４０２内の撮像範囲に対応する焦点距離である。
【０１５４】
そして、図１６に示したように、予め主要被写体として設定されている被写体４０５が第二の領域４０４上の外側領域４０４ｂ内に存在する場合には、電子的変倍、光学的変倍の状態に応じて次のような動作を行う。
【０１５５】
電子的変倍、光学的変倍の何れも最広角側の状態である場合には、主要被写体４０５が第一の領域４０３内のみに存在しない旨の告知として、図１６に示したように、背面液晶パネル１１８（のバックライト１３３）の点灯、インジケータ１１０の点滅、スピーカ１１２による警告音の発生を行う。
【０１５６】
一方、電子的変倍が最広角側の状態であり且つ光学的変倍が最広角側の状態でない場合には、図１７に示したように、光学的変倍を広角側へ変倍すると共に、それに応じて、フレーム４０１、４０２に対応する焦点距離を変更する。これにより変倍後の撮像画像が表示されると共に、図１７に示した例では、フレーム４０１に対応する焦点距離が７０ｍｍから５０ｍｍへ変更され、フレーム４０２に対応する焦点距離が５０ｍｍから４２ｍｍへ変更される。なお、図１７に示した例では、変倍前の撮像画像の焦点距離が４２ｍｍであり、変倍後の撮像画像の焦点距離が３５ｍｍである。このような変倍が行われた結果、図１７に示したように、主要被写体４０５が第二の領域４０４上の外側領域４０４ｂ内に存在しない場合には、図示はしないが、その旨の告知として、背面液晶パネル１１８（のバックライト１３３）の消灯、インジケータ１１０の点灯を行う。ここで、その旨の告知は、主要被写体４０５が撮像画像上から外れる虞がない旨の告知でもある。
【０１５７】
また、電子的変倍が最広角側の状態でない場合には、図１８に示したように、電子的変倍を広角側へ変倍する。これにより、撮像画像の切り出し領域が広角側へ変更され、変更後の切り出し領域が表示される。なお、図１８に示した例では、変更後の切り出し領域が、撮像画像全体とされている。また、フレーム４０６は、変更前の切り出し領域を示しており、実際に表示されるものではない。また、このように電子的変倍を広角側へ変倍すると共に、それに応じて、フレーム４０１、４０２に対応する焦点距離を変更する。但し、図１８では、説明の便宜のため、フレーム４０１、４０２、及び、それらに対応する焦点距離の表示の図示を省略している。なお、電子的変倍が最広角側の状態でない場合に限り、第一の領域４０３、第二の領域４０４（内側領域４０４ａ、外側領域４０４ｂ）は、撮像画像から切り出された領域上に設定される。また、このような切り出し領域の変更が行われた結果、主要被写体４０５が第二の領域４０４上の外側領域４０４ｂ内に存在しない場合には、図示はしないが、その旨の告知として、背面液晶パネル１１８（のバックライト１３３）の消灯、インジケータ１１０の点灯を行う。
【０１５８】
一方、図示はしないが、主要被写体４０５が第二の領域４０４上の外側領域４０４ｂ内に存在しない場合には、その旨の告知として、背面液晶パネル１１８（のバックライト１３３）の消灯、インジケータ１１０の点灯を行う。
【０１５９】
図１９は、本実施形態に係る追尾録画処理の詳細を示すフローチャートである。なお、本実施形態に係るデジタルカメラ１００の動作例を示すフローチャートは、図７又は図１２に示したものと同じであるが、Ｓ１０６又はＳ４０３の追尾録画処理の内容が、図１９に示すように、一部で異なっている。
【０１６０】
図１９に示したように、本処理が開始すると、まず、ＣＰＵ１６０は、動画記録ボタン１０４の押下を検出したか否か（録画開始か否か）を判定する（Ｓ８０１）。
Ｓ８０１の判定において、その判定結果がＮｏの場合は、本判定を繰り返す。
【０１６１】
一方、Ｓ８０１の判定結果がＹｅｓの場合、ＣＰＵ１６０は、動画像の記録を開始し、そして、主要被写体が第二の領域上の外側領域内に存在するか否かを判定する（Ｓ８０２）。
【０１６２】
Ｓ８０２の判定結果がＹｅｓの場合、ＣＰＵ１６０は、電子的変倍が最広角側の状態であるか否かを判定する（Ｓ８０３）。
Ｓ８０３の判定結果がＮｏの場合、ＣＰＵ１６０は、電子的変倍を広角側へ変倍する（Ｓ８０４）。これにより、撮像画像の切り出し領域が広角側へ変更され、例えば、図１８に示したように、変更後の切り出し領域が表示される。また、これに応じて、２つのフレームに対応する焦点距離が変更される。Ｓ８０４の後は、処理がＳ８０２へ戻る。
【０１６３】
一方、Ｓ８０３の判定結果がＹｅｓの場合、ＣＰＵ１６０は、光学的変倍が最広角側の状態であるか否かを判定する（Ｓ８０５）。
Ｓ８０５の判定結果がＮｏの場合、ＣＰＵ１６０は、光学的変倍を広角側へ変倍する（Ｓ８０６）。これにより、例えば、図１７に示したように、変倍後の撮像画像が表示されると共に、２つのフレームに対応する焦点距離が変更される。Ｓ８０６の後は、処理がＳ８０２へ戻る。
【０１６４】
一方、Ｓ８０５の判定結果がＹｅｓの場合、ＣＰＵ１６０は、背面液晶パネル１１８（のバックライト１３３）の点灯（Ｓ８０７）、インジケータ１１０の点滅、スピーカ１１２による警告音の発生を行う。
【０１６５】
一方、Ｓ８０２の判定結果がＮｏの場合、ＣＰＵ１６０は、背面液晶パネル１１８（のバックライト１３３）の消灯（Ｓ８０８）、インジケータ１１０の点灯を行う。
その後、ＣＰＵ１６０は、動画記録ボタン１０４の押下を検出したか否か（録画停止か否か）を判定する（Ｓ８０９）。
【０１６６】
Ｓ８０９の判定結果がＮｏの場合、処理がＳ８０２へ戻る。
一方、Ｓ８０９の判定結果がＹｅｓの場合、ＣＰＵ１６０は動画像の記録を停止し、処理がリターンする。
【０１６７】
以上、本実施形態によれば、追尾録画処理中において、主要被写体が撮像画像上から外れる虞がない場合には、背面液晶パネル１１８又はＥＶＦパネル１２６を消灯することにより低消費電力化を図ることができる。一方、電子的変倍、光学的変倍の何れも最広角側の状態の場合であって主要被写体が撮像画像上から外れる虞がある場合には、背面液晶パネル１１８又はＥＶＦパネル１２６の点灯、インジケータ１１０の点滅又はインジケータ１０１ｃの点灯（赤色点灯）、スピーカ１１２による警告音の発生を行うことにより、主要被写体が撮像画像上から外れる虞がある旨をユーザに通知することができる。なお、電子的変倍が最広角側の状態であり且つ光学的変倍が最広角側の状態でない場合であって主要被写体が撮像画像上から外れる虞がある場合には、光学的変倍が広角側へ変倍され、それに応じて、背面液晶パネル１１８又はＥＶＦパネル１２６の表示が変更される。また、電子的変倍が最広角側の状態でない場合であって主要被写体が撮像画像から切り出された領域上から外れる虞がある場合には、電子的変倍が広角側へ変倍され、それに応じて、背面液晶パネル１１８又はＥＶＦパネル１２６の表示が変更される。よって、追尾録画処理において、ユーザの使い勝手を悪くすることなく低消費電力化を実現することができる。
【０１６８】
なお、本実施形態に係る動作おいては、次のような変形が可能である。
例えば、図１９に示した追尾録画処理において、Ｓ８０２の判定では、主要被写体が第二の領域内の外側領域内に存在するか否かを判定する代わりに、主要被写体が第二の領域内に存在するか否かを判定するようにしてもよい。これにより、主要被写体が第二の領域内の更に内側領域内に存在する場合にも、Ｓ８０３以降の処理を行わせることができる。
【０１６９】
また、例えば、追尾録画処理中に表示される２つのフレーム（例えば図１６に示したフレーム４０１、４０２を参照）は、円形に限らず、その他、楕円等の形状になるように、第一の領域、第二の領域（内側領域、外側領域）を設定してもよい。
【０１７０】
図２０は、２つのフレームが楕円の形状になるように、第一の領域、第二の領域（内側領域、外側領域）を設定した例を説明する図である。なお、図２０に示した例は、バックライト１３３を無視したときの背面液晶パネル１１８の表示、又は、内蔵バックライトを無視したときのＥＶＦパネル１２６の表示を示す。
【０１７１】
図２０に示したように、本例では、動画撮影により得られている撮像画像と共に、その撮像画像上に楕円形の一点鎖線のフレーム５０１、楕円形の点線のフレーム５０２が重畳されて表示される。フレーム５０１は、撮像画像上に予め設定されている第一の領域５０３と第二の領域５０４との境界を示す。フレーム５０２は、第二の領域５０４上に予め設定されている内側領域５０４ａと外側領域５０４ｂとの境界を示す。内側領域５０４ａは、撮像画像の中心に近い方の第二の領域５０４上の領域である。外側領域５０４ｂは、撮像画像の中心から遠い方の第二の領域５０４上の領域であり、また、内側領域５０４ａ以外の第二の領域５０４上の領域でもある。
【０１７２】
また、図２０に示した他、例えば、第一の領域に対して第二の領域（内側領域、外側領域）が撮像画像の左右方向（デジタルカメラ１００のパン方向に対応）又は上下方向（デジタルカメラ１００のチルト方向に対応）等に設けられるようにしてもよい。
【０１７３】
図２１は、第一の領域に対して第二の領域（内側領域、外側領域）が撮像画像の左右方向に設けられる例を説明する図である。なお、図２１に示した例は、バックライト１３３を無視したときの背面液晶パネル１１８の表示、又は、内蔵バックライトを無視したときのＥＶＦパネル１２６の表示を示す。
【０１７４】
図２１に示したように、本例では、動画撮影により得られている撮像画像と共に、その撮像画像上に一点鎖線のライン６０１、点線のライン６０２が重畳されて表示される。ライン６０１は、撮像画像上に予め設定されている第一の領域６０３と第二の領域６０４との境界を示す。ライン６０２は、第二の領域６０４上に予め設定されている内側領域６０４ａと外側領域６０４ｂとの境界を示す。内側領域６０４ａは、撮像画像の中心に近い方の第二の領域６０４上の領域である。外側領域６０４ｂは、撮像画像の中心から遠い方の第二の領域６０４上の領域であり、また、内側領域６０４ａ以外の第二の領域６０４上の領域でもある。
【０１７５】
このような図２１に示した例は、例えば、デジタルカメラ１００のパン方向（例えば図２２の矢印方向参照）の加速度が加速度センサ１３８により検出された場合に、実行されるようにしてもよい。
【０１７６】
図２２は、第一の領域に対して第二の領域（内側領域、外側領域）が撮像画像の上下方向に設けられる例を説明する図である。なお、図２２に示した例は、バックライト１３３を無視したときの背面液晶パネル１１８の表示、又は、内蔵バックライトを無視したときのＥＶＦパネル１２６の表示を示す。
【０１７７】
図２２に示したように、本例では、動画撮影により得られている撮像画像と共に、その撮像画像上に一点鎖線のライン７０１、点線のライン７０２が重畳されて表示される。ライン７０１は、撮像画像上に予め設定されている第一の領域７０３と第二の領域７０４との境界を示す。ライン７０２は、第二の領域７０４上に予め設定されている内側領域７０４ａと外側領域７０４ｂとの境界を示す。内側領域７０４ａは、撮像画像の中心に近い方の第二の領域７０４上の領域である。外側領域７０４ｂは、撮像画像の中心から遠い方の第二の領域７０４上の領域であり、また、内側領域７０４ａ以外の第二の領域７０４上の領域でもある。
【０１７８】
このような図２２に示した例は、例えば、デジタルカメラ１００のチルト方向の加速度（例えば図２２の矢印方向参照）が加速度センサ１３８により検出された場合に、実行されるようにしてもよい。
【０１７９】
以上、第１乃至３の実施形態について説明したが、各実施形態においては、次のような変形も可能である。
例えば、スピーカ１１２による警告音は、主要被写体が撮像画像上から外れたときに発するようにしてもよい。
【０１８０】
また、例えば、追尾録画処理中において、背面液晶パネル１１８又はＥＶＦパネル１２６が消灯又は減灯しているときに、外部マイクや外部スピーカが接続されると、背面液晶パネル１１８又はＥＶＦパネル１２６が点灯するようにしてもよい。
【０１８１】
また、例えば、追尾録画処理中において、背面液晶パネル１１８が消灯又は減灯しているときに、タッチパネル１１７へのタッチ操作が行われると、背面液晶パネル１１８が点灯するようにしてもよい。
【０１８２】
また、例えば、ＥＶＦパネル１２６を、低消費電力化に有利な有機ＥＬ（Electro Luminescence）パネルにより構成してもよい。
また、例えば、各実施形態で説明した撮像装置を、デジタルカメラとしての他、カメラ機能付きの、携帯電話機、ＰＨＳ（Personal Handy-phone System）、ＰＤＡ（Personal Digital Assistants）、スマートフォン等として構成してもよい。
【０１８３】
また、例えば、各実施形態で説明した動作は、他の実施形態で説明した動作を組み合わせるようにしてもよい。
以上、実施の形態を説明したが、本発明は、上述した実施の形態に限定されることなく、本発明の要旨を逸脱しない範囲内で種々の改良・変更が可能である。
【符号の説明】
【０１８４】
１００    デジタルカメラ
１０１    ＥＶＦ
１０１ａ  ファインダ接眼部
１０１ｂ、１０１ｃ  インジケータ
１０２    電源ボタン
１０３    レリーズボタン
１０４    動画記録ボタン
１０５    測温センサ
１０６    ＭＩＣ／ＳＰ端子
１０７    ビデオ出力端子
１０８    ズームボタン
１０８ａ  ワイド（Ｗｉｄｅ）ボタン
１０８ｂ  テレ（Ｔｅｌｅ）ボタン
１０９    表示切替ボタン
１１０    インジケータ
１１１    モードダイヤル
１１１ａ  指標
１１２    スピーカ
１１３    十字ボタン
１１４    ＯＫボタン
１１５    メニューボタン
１１６    削除ボタン
１１７    タッチパネル
１１８    背面液晶パネル
１２１    撮影レンズ
１２２    レンズシャッター
１２３    ＣＣＤ
１２４    ＡＳＩＣ
１２５    ＥＶＦパネル表示制御部
１２６    ＥＶＦパネル
１２７    ＬＥＤ部
１２８    操作部
１２９    電源部
１３０    電池
１３０ａ  測温センサ
１３１    背面液晶パネル表示制御部
１３２    明るさ制御部
１３３    バックライト
１３４    ＭＩＣ／ＳＰ部
１３５    ＳＤＲＡＭ
１３６    ＦＬＡＳＨメモリ
１３７    記録媒体
１３８    加速度センサ
１３９    合焦・変倍制御部
１４０    露光機構
１４１    絞り機構
１５１    Ａ／Ｄ変換部
１５２    画像処理部
１５２ａ  自動追尾演算部
１５２ｂ  動きベクトル演算部
１５３    表示制御部
１５４    メカトロ制御部
１５５    ＵＳＢ通信部
１５６    Ｄ／Ａ変換部
１５７    Ｉ／Ｏ部
１５８    タイマ
１５９    メモリＩ／Ｏ部
１６０    ＣＰＵ
１６１    オーディオ部
１６２    データバス
２０１    フレーム
２０２    第一の領域
２０３    第二の領域
２０３ａ  内側領域
２０３ｂ  外側領域
２０４、２１１  主要被写体
２１２    ＡＦ（Auto Focus）枠
２１３    マーク
３０１    フレーム
３０２    主要被写体
３１１    マーク
４０１、４０２  フレーム
４０３    第一の領域
４０４    第二の領域
４０４ａ  内側領域
４０４ｂ  外側領域
４０５    主要被写体
４０６    フレーム
５０１、５０２  フレーム
５０３    第一の領域
５０４    第二の領域
５０４ａ  内側領域
５０４ｂ  外側領域
６０１、６０２  ライン
６０３    第一の領域
６０４    第二の領域
６０４ａ  内側領域
６０４ｂ  外側領域
７０１、７０２  ライン
７０３    第一の領域
７０４    第二の領域
７０４ａ  内側領域
７０４ｂ  外側領域
【図１Ａ】
2014120948.tif 000003
【図１Ｂ】
2014120948.tif 000004
【図２】
2014120948.tif 000005
【図３】
2014120948.tif 000006
【図７】
2014120948.tif 000007
【図８】
2014120948.tif 000008
【図１１】
2014120948.tif 000009
【図１２】
2014120948.tif 000010
【図１３】
2014120948.tif 000011
【図１４】
2014120948.tif 000012
【図１５Ａ】
2014120948.tif 000013
【図１５Ｂ】
2014120948.tif 000014
【図１９】
2014120948.tif 000015
【図４】
2014120948.tif 000016
【図５】
2014120948.tif 000017
【図６】
2014120948.tif 000018
【図９】
2014120948.tif 000019
【図１０】
2014120948.tif 000020
【図１６】
2014120948.tif 000021
【図１７】
2014120948.tif 000022
【図１８】
2014120948.tif 000023
【図２０】
2014120948.tif 000024
【図２１】
2014120948.tif 000025
【図２２】
2014120948.tif 000026